(57)【要約】      （修正有）【課題】組織試料を保管および移送するための組み立て体において、固定剤溶液に曝されることから技術者を保護すること、および、任意の向きでデバイスを保管および移送するのを可能にすること、の両方を行う。【解決手段】流体中の試料を処理するための方法およびシステムが提供される。固定剤溶液で予め充填されるキャップ５００と、バルブと、組織試料を保管するための容器１１０と、を備える組立体が提供される。バルブがキャップと容器との間に位置するように適合され、その結果、組立体が直立するときに流体がキャップから容器の中へ流れることができるが、組立体が水平であるかまたは反転するときは流体が容器からキャップへ逆流することができない。【選択図】図１４
2020190563.tif 000002
【特許請求の範囲】
【請求項１】
固定剤溶液に浸漬される生体試料を保管および移送するための組立体であって、前記組立体が、
・一定量の固定剤溶液で予め充填される第１のチャンバを備えるキャップと、
・前記生体試料を保持するための第２のチャンバを備える試料容器と、
・前記第１のチャンバと前記第２のチャンバとの間に位置して閉構成と開構成との間で切り替わるように適合されるバルブであって、
・前記バルブが前記開構成であるときに、１つまたは複数のチャンネルが前記第１のチャンバと前記第２のチャンバとの間に形成され、前記第１のチャンバから前記第２のチャンバまで固定剤溶液が流れるのを可能にし、また、引き換えに空気を通気するのを可能にし、
・前記バルブが前記閉構成であるときに、前記バルブが前記第１のチャンバと前記第２のチャンバとの間にバリアを作り、前記バリアが前記第２のチャンバから前記第１のチャンバまで前記固定剤溶液が流れるのを防止し、
・前記バルブが、第１の力の適用時に前記閉構成から前記開構成へと切り替わるように構成され、
・前記バルブが、前記第１の力が取り除かれるときに初期設定の前記閉構成に戻るように構成される、
バルブと、
・非係合位置と係合位置との間で移動可能であるアクチュエータであって、
・前記非係合位置から前記係合位置までの前記アクチュエータの移動が、オペレータによる前記アクチュエータに対しての第２の力の適用を必要とし、
・前記非係合位置から前記係合位置までの前記アクチュエータの移動が、前記バルブに前記第１の力を適用し、
・前記アクチュエータから前記第２の力を取り除くことにより前記バルブから前記第１の力が解放される、
アクチュエータと
を備える、組立体。
【請求項２】
前記組立体が、
・前記非係合位置から前記係合位置まで前記アクチュエータが移動させられるときに前記アクチュエータに対して第３の力を適用するように位置決めされる第１の弾性機構であって、その結果、前記第２の力が取り除かれる場合には前記第３の力が前記アクチュエータを前記非係合位置まで自動で戻すようになる、第１の弾性機構
をさらに備える、請求項１に記載の組立体。
【請求項３】
前記非係合位置から前記係合位置までの前記アクチュエータの移動が前記弾性機構を広げ、広がることにより前記弾性機構に導入される張力が、前記アクチュエータに対して前記第３の力を適用する、請求項２に記載の組立体。
【請求項４】
前記非係合位置から前記係合位置までの前記アクチュエータの移動が前記弾性機構を圧縮し、圧縮により前記弾性機構に導入される張力が、前記アクチュエータに対して前記第３の力を適用する、請求項２に記載の組立体。
【請求項５】
前記弾性機構が前記アクチュエータに接触し、その結果、前記非係合位置から前記係合位置までの前記アクチュエータの移動により前記弾性機構が曲げられ、曲げられることにより前記弾性機構に導入される張力が前記アクチュエータに対して前記第３の力を適用する、請求項２に記載の組立体。
【請求項６】
・前記バルブが、固有の弾性を有する材料を有し、固有の弾性を有する前記材料が、前記閉位置において、前記第１のチャンバと前記第２のチャンバとの間のバリアの少なくとも一部を形成し、
・前記第１の力が、前記開構成の前記チャンネルを作るような形で前記弾性材料を変形させ、
・前記第１の力が取り除かれると、前記材料の前記固有の弾性が前記バルブを前記閉構成へと自動で戻す、
請求項１から５までいずれか一項に記載の組立体。
【請求項７】
固有の弾性を有する前記材料が前記バリアの外側周囲部を形成し、
・前記閉構成において、固有の弾性を有する前記材料が、前記第１のチャンバの内部壁、前記第２のチャンバの内部壁、または、前記第１のチャンバおよび前記第２のチャンバを接続するアパーチャを画定するバルブ壁、に接触し、
・固有の弾性を有する前記材料の変形が、固有の弾性を有する前記材料と、前記第１のチャンバの前記内部壁、前記第２のチャンバの内部壁、または、前記バルブ壁、との間に前記チャンネルを作る
請求項６に記載の組立体。
【請求項８】
前記アクチュエータが、１つまたは複数の剛体部材および前記第１の弾性機構を備え、
・前記非係合位置から前記係合位置への前記アクチュエータの移動が前記１つまたは複数の剛体部材を、固有の弾性を有する前記材料の表面に接触させ、それにより前記バルブに対して前記第１の力を作用させ、
・前記第１の弾性機構が前記アクチュエータに対して前記第３の力を適用するように構成され、その結果、前記第２の力が取り除かれるときには前記第３の力が前記１つまたは複数の剛体部材を前記バルブから離すように移動させるようになり、それにより前記バルブから前記第１の力を取り除く、
請求項７に記載の組立体。
【請求項９】
前記１つまたは複数の剛体部材が、固有の弾性を有する前記材料の外側周囲部の周りに前記第１の力を作用させるように配列される、請求項８に記載の組立体。
【請求項１０】
前記第１の力が前記バルブの前記外側周囲部の全体に等しく作用される、請求項９に記載の組立体。
【請求項１１】
前記バルブがアンブレラバルブである、請求項６から１０までのいずれか一項に記載の組立体。
【請求項１２】
前記アクチュエータがプランジャを備え、前記アクチュエータが係合されることで前記プランジャが前記一定量の前記固定剤溶液を前記バルブの方に押し、それにより前記固定剤溶液が前記バルブに前記第１の力を作用させる、請求項６に記載の組立体。
【請求項１３】
前記バルブがチェックバルブまたはダックビルバルブである、請求項１２に記載の組立体。
【請求項１４】
・前記バルブが、
・前記第１のチャンバおよび前記第２のチャンバを接続するアパーチャを画定するバルブ壁と、
・シールであって、前記シールが、
・前記バルブが前記閉構成であるとき、前記シールが前記アパーチャの内部にあって前記バルブ壁に接触し、それにより前記第１のチャンバと前記第２のチャンバとの
間に前記バリアを作るように、
・前記バルブに対しての前記第１の力の適用により前記シールが前記アパーチャの少なくとも部分的に外側で移動して前記チャンネルを作るように、および、
・前記第１の力が取り除かれるときに前記シールが前記閉構成に自動で戻るように、
構成される、シールと
を備える、
請求項１から５までのいずれか一項に記載の組立体。
【請求項１５】
前記組立体が、
・前記閉構成から前記開構成へと前記シールが切り替えられるときに前記シールに対して第４の力を作用させるように構成される第２の弾性機構であって、前記バルブから前記第１の力が取り除かれるときに前記第４の力が前記バルブを前記閉構成に戻す、第２の弾性機構
をさらに備える、請求項１４の組立体。
【請求項１６】
前記キャップが、前記固定剤溶液を前記バルブから離して隔離するような形で前記第１のチャンバ内に配設される脆いシールをさらに備え、前記非係合位置から前記係合位置への前記アクチュエータの移動が前記脆いシールを破損し、前記バルブに対して前記第１の力を適用する、前記請求項のいずれか一項に記載の組立体。
【請求項１７】
組織試料を保管、移送および／または固定するための方法であって、前記方法が、
前記請求項のいずれか一項に記載の、固定剤溶液に浸漬される生体試料を保管および移送するための組立体を得るステップと、
前記組立体の第１のチャンバ内に前記組織試料を配置するステップと、
前記組立体を組み立てるステップと、
バルブを開位置へと切り替えるためにアクチュエータを非係合位置から係合位置へと移動させるステップであって、それにより前記固定剤溶液が第２のチャンバから前記第１のチャンバへと流れることが可能となる、ステップと、
前記組織試料が前記固定剤溶液に完全に浸漬され、前記組立体の反転位置または水平位置での配置時に前記固定剤溶液に浸漬された状態を維持するようになるまで、前記アクチュエータを前記係合位置で維持するステップと、
前記アクチュエータを解放するステップであって、前記アクチュエータが前記非係合位置に自動で戻り、前記バルブが開構成から閉構成へと自動で切り替わる、ステップと
を含む、方法。
【請求項１８】
固定剤溶液に浸漬される生体試料を保管および移送するための組立体であって、前記組立体が、
・一定量の固定剤溶液で予め充填される第１のチャンバを備えるキャップと、
・前記生体試料を保持するための第２のチャンバを備える試料容器と、
・前記第１のチャンバと前記第２のチャンバとの間に位置して閉構成と開構成との間で切り替わるように適合されるチェックバルブであって、
・前記バルブが前記開構成であるときに、１つまたは複数のチャンネルが前記第１のチャンバと前記第２のチャンバとの間に形成され、前記第１のチャンバから前記第２のチャンバまで固定剤溶液が流れるのを可能にし、また、引き換えに空気を通気するのを可能にし、
・前記バルブが前記閉構成であるときに、前記バルブが前記第１のチャンバと前記第２のチャンバとの間にバリアを作り、前記バリアが前記第２のチャンバから前記第１のチャンバまで前記固定剤溶液が流れるのを防止し、
・前記チェックバルブが、直立時に前記開構成であるように構成され、
・前記チェックバルブが、水平位置にあるときに、および、反転しているときに、前記閉構成であるように構成される、
チェックバルブと
を備える、組立体。
【発明の詳細な説明】
【技術分野】
【０００１】
関連出願の相互参照
２０１５年２月２０日に出願された米国仮特許出願第６２／１１８，８７８号および２０１５年５月２２日に出願された米国仮特許出願第６２／１６５，６１６号の利益が本明細書により請求され、それらの内容の全体が参照により組み込まれる。
【０００２】
本発明は、反転保護（ｉｎｖｅｒｓｉｏｎ  ｐｒｏｔｅｃｔｉｏｎ）特徴部分、つまり、流体の逆流を防止するための反転保護キャップを有する、試料収集システムに関する。
【背景技術】
【０００３】
外科手技によって取り出された組織を保存することは非常に重要なテーマである。被験者から組織試料を取り出した後、組織試料が、しばしば、細胞の代謝活動を一時中断する液体中に配置される。このプロセスは一般に「固定」と称され、複数の異なる種類の液体によって達成され得る。残念ながら、固定剤溶液は非常に多くの場合で有害である。例えば、最も一般に使用される固定剤は１０％中性緩衝ホルマリン（ＮＢＦ）である。ＮＢＦの主成分であるホルムアルデヒドは疑いのある発癌性物質である。さらに、ホルムアルデヒドのガス排出は目および粘膜を刺激する可能性があり、それにより、頭痛、喉の灼熱感、呼吸困難を引き起こし、また、喘息症状を誘発、または悪化させる可能性もある。加えて、一部の人はホルムアルデヒドに対して非常に過敏であり、重度のアレルギー反応に苦しむ可能性もある。したがって、組織標本を挿入するための開けられた湿ったホルマリン容器を取り扱うことには大きな健康上のリスクがあり、これは患者に近い場合および患者を治療する施設（ｐａｔｉｅｎｔ  ｔｒｅａｔｍｅｎｔ  ｆａｃｉｌｉｔｙ）に近い場合に特に顕著である。
【０００４】
ＷＯ２０１２／０４０８２３Ａ１が、標本容器の内部でホルマリンを気密的に密閉し、容器の閉じられている状態において標本を漬けるときのみ容器を開放する、という形により、仕事場の安全の問題に対処するという少なくとも１つの解決策を開示している。これは、標本のための汚れていない乾燥した内部チャンバと、ホルマリンで充填されるキャップ内にある密閉された内部チャンバと、の２つの内部チャンバを使用することによって達成される。容器が閉じられると、内部プランジャを作動することにより外側からシールが破損され得、標本チャンバへとおよびその逆でホルマリンを移し替えることができ、また、標本チャンバからキャップへと空気を移し替えることができる。しかし、この解決策は、標本を漬けた状態で維持することにおいて重力に依存するものである。容器が直立位置以外の向きに方向づけられると、ホルマリンがキャップの中に戻るように自由に流れることができるようになり、液体ホルマリンの標本が不足することになる。この状況は受け取り時には容易に検出され得ず、試料が完全に乾燥している場合には試料の品質を落とす可能性がある。したがって、ＷＯ２０１２／０４０８２３Ａ１で説明される容器は常に直立位置を維持しなければならず、これは非常に貴重な患者試料と共に移動させるには大きなリスクがある。
【０００５】
固定剤溶液に曝されることから技術者を保護すること、および、任意の向きでデバイスを保管および移送するのを可能にすること、の両方を行う、組織試料を保管および移送するための配列はまだ知られていない。
【発明の概要】
【課題を解決するための手段】
【０００６】
本発明は固定剤溶液に浸漬される生体試料を保管および移送するための組立体に関し、
この組立体が、固定剤溶液で予め充填されるキャップと、組織試料を保持するための容器との間に配設されるバルブを含む。組み立て時、バルブが、組立体が直立位置にあるときに流体がキャップから容器の中へ流れるのを可能にするように適合され、組立体が概して水平位置または反転位置にあるときはキャップと容器との間での流体の移し替えを防止する。好適には、バルブが閉位置を初期設定とするように適合され、その結果、キャップと容器との間での流体の移し替えを可能にするような開構成でバルブを保持するためには外力が必要となり、外力が取り除かれるときにバルブが自動で閉じるようになる。
【０００７】
第１の実施形態では、組立体が、
・一定量の固定剤溶液で予め充填される第１のチャンバを備えるキャップと、
・生体試料を保持するための第２のチャンバを備える試料容器と、
・第１のチャンバと第２のチャンバとの間に位置して閉構成と開構成との間で切り替わるように適合されるバルブであって、ここでは、
・バルブが開構成であるときに、１つまたは複数のチャンネルが第１のチャンバと第２のチャンバとの間に形成され、第１のチャンバから第２のチャンバまで固定剤溶液が流れるのを可能にし、また、引き換えに空気を通気するのを可能にし、
・バルブが閉構成であるときに、バルブが第１のチャンバと第２のチャンバとの間にバリアを作り、このバリアが第２のチャンバから第１のチャンバまで固定剤溶液が流れるのを防止し、
・バルブが、第１の力の適用時に閉構成から開構成へと切り替わるように構成され、
・バルブが、第１の力が取り除かれるときに初期設定の閉構成に戻るように構成される、
バルブと、
・非係合位置と係合位置との間で移動可能であるアクチュエータであって、
・アクチュエータに対しての第２の力の適用がアクチュエータを非係合位置から係合位置へと移動させてアクチュエータを係合位置で保持し、それによりアクチュエータがバルブに対して第１の力を適用し、
・アクチュエータから第２の力を取り除くことによりバルブから第１の力が解放される、
アクチュエータと
を備える。
【０００８】
実施例では、第１の実施形態のバルブが、第１のチャンバと第２のチャンバとの間のバリアの少なくとも一部を形成する、固有の弾性を有する材料を有する。第１の力がこの材料を変形させ、それにより第１のチャンバと第２のチャンバとの間にチャンネルを作り、このチャンネルを通って流体が流れることができる。第１の力が取り除かれると、この材料の固有の弾性が材料をその元の形状に戻し、それによりチャンネルが閉じられ、それにより、組立体の向きに関係なく第２のチャンバから第１のチャンバへの流体の逆流が防止される。この実施形態のアクチュエータが、変形させるように材料の表面に接触するように配置され得る剛体部材を有することができる。したがって、例えば、アクチュエータに対して第２の力を適用することにより、固有の弾性を有する材料に接触するように剛体部材が移動させられて材料が変形し、それによりバルブが開構成となる。また、このように材料に向かって剛体部材が移動することで、第２の力の反対に作用するような、アクチュエータに作用する第３の力を生じさせることができ、その結果、第２の力が取り除かれるときに第３の力が材料から離れるように剛体部材を移動させる。アクチュエータがこの材料に向かって移動させられるとき、例えば、アクチュエータに接触するように配置される弾性機構が、曲げられるか、圧縮されるか、広げられるか、捻じられるか、または、回転させられ、それにより弾性機構に張力を導入する。弾性機構に組み入れられる張力がアクチュエータに第３の力を作用させ、その結果、第２の力が取り除かれるときにアクチュエ
ータが材料から離れるように押され、材料がその元の形状に戻ることが可能となる。加えてまたは別法として、固有の弾性を有するこの材料により、第３の力がアクチュエータに作用されられ得る。この材料を変形させることによりこのシステムに張力が導入され、この張力がこの材料をその元の形状に戻すような傾向を有する。したがって、第２の力がアクチュエータに対して適用されて剛体部材がこの材料を変形させるとき、この材料に蓄積する張力により第３の力がアクチュエータに対して適用される。第２の力が維持される限りにおいて、張力が材料内で留保されることになる。しかし、第２の力が取り除かれると、張力が解放され、それにより材料がその元の形状に戻り、アクチュエータが材料から離れるように押される。固有の弾性を有するこのような材料を組み込むバルブの例には、例えば、アンブレラバルブおよびダックビルバルブが含まれる。
【０００９】
第１の実施形態の別の実施例では、バルブが、
・第１のチャンバおよび第２のチャンバを接続するアパーチャを画定するバルブ壁と、
・シールであって、ここでは、シールが、
・バルブが閉構成であるときにシールがバルブ壁に接触し、それにより第１のチャンバと第２のチャンバとの間にバリアを作り、
・バルブに対して第１の力が適用されることで、シールがバルブ壁との接触から外れてチャンネルを作り、
・第１の力が取り除かれるときにシールが自動でバルブ壁と接触するように戻る、
ように構成される、シールと
を備える。
【００１０】
シールがバルブ壁に接触するとき、シールが、キャップ内に含まれる流体に対して不浸透性であるバリアを作る。シールはアパーチャ内で以下のように配列されるべきである：アクチュエータが係合位置まで移動させられるとき、シールがバルブ壁との接触から外れ、それにより、流体がそこを通って流れることができるようなチャンネルを作る。一配列では、シールが弾性機構に接触する間においてはアパーチャ内に配置される。第１の力がバルブに適用されると、張力が弾性機構に導入され（配列に応じて、広げたり、圧縮したり、捻じったり、または、曲げたり、などすることにより）、シールが第１の位置から、アパーチャ内部の第２の位置まで移動する。アパーチャは結果として以下のようになるようにサイズ決定される：シールが第１の位置にあるとき、シールの外側縁部がアパーチャの内側周囲部全体の周りでバルブ壁と接触し、それによりアパーチャを通って流体が流れるのを防止し（この実施形態では、閉構成）、シールが第２の位置にあるとき、シールの外側縁部の少なくとも一部分とバルブ壁との間に隙間が存在し、この隙間が、第１のチャンバから第２のチャンバまで流体がそこを通って流れることができるチャンネルを作る（この実施形態では、開構成）。第１の力が取り除かれると、弾性機構の張力が解放され、それによりシールが閉構成に戻るように押される。
【００１１】
第２の実施形態では、組立体が、
・一定量の固定剤溶液で予め充填される第１のチャンバを備えるキャップと、
・生体試料を保持するための第２のチャンバを備える試料容器と、
・第１のチャンバと第２のチャンバとの間に位置して閉構成と開構成との間で切り替わるように適合されるバルブであって、ここでは、
・バルブが開構成であるときに、１つまたは複数のチャンネルが第１のチャンバと第２のチャンバとの間に形成され、第１のチャンバから第２のチャンバまで固定剤溶液が流れるのを可能にし、また、引き換えに空気を通気するのを可能にし、
・バルブが閉構成であるときに、バルブが第１のチャンバと第２のチャンバとの間にバリアを作り、このバリアが第２のチャンバから第１のチャンバまで固定剤溶液が流れるのを防止し、
・バルブが、第１の力の適用時に閉構成から開構成へと切り替わるように構成され
、
・バルブが、第１の力が取り除かれるときに初期設定の閉構成に戻るように構成される、
バルブと、
・非係合位置と係合位置との間で移動可能であるアクチュエータであって、
・アクチュエータに対しての第２の力の適用がアクチュエータを非係合位置から係合位置へと移動させ、バルブに対して第１の力を適用し、
・係合位置から非係合位置までのアクチュエータの移動により第１の力がバルブから解放される
アクチュエータと
を備える。
【００１２】
この実施形態では、係合位置から非係合位置までのアクチュエータの移動が、第２の力を取り除くときに、自動で行われ得るか（第１の実施形態で考察された構成など）、または、追加の外力の適用を必要とする可能性がある。例えば、使用者が、アクチュエータが係合位置に移動するまでアクチュエータに対して第２の力を適用することができる。この場合、アクチュエータは、バルブを閉構成へと切り替えるためにアクチュエータを係合位置から非係合位置まで戻すように移動させる追加の外力を使用者が適用するまで、使用者による外力の適用なしで係合位置を維持するように適合される（保持機構を使用することによるか、または、摩擦嵌合による、など）。
【００１３】
第３の実施形態では、組立体が、
・一定量の固定剤溶液で予め充填される第１のチャンバを備えるキャップと、
・生体試料を保持するための第２のチャンバを備える試料容器と、
・第１のチャンバと第２のチャンバとの間に位置して閉構成と開構成との間で切り替わるように適合されるバルブであって、ここでは、
・バルブが開構成であるときに、１つまたは複数のチャンネルが第１のチャンバと第２のチャンバとの間に形成され、第１のチャンバから第２のチャンバまで固定剤溶液が流れるのを可能にし、また、引き換えに空気を通気するのを可能にし、
・バルブが閉構成であるときに、バルブが第１のチャンバと第２のチャンバとの間にバリアを作り、このバリアが第２のチャンバから第１のチャンバまで固定剤溶液が流れるのを防止し、
・バルブが、閾値を超える流体圧力の適用時に閉構成から開構成へと切り替わるように構成され、
・バルブが、流体圧力が低下して閾値を下回るときに初期設定の閉構成に戻るように構成される、
バルブと、
・閾値を超えるように流体圧力を増大させるように適合されるアクチュエータと
を備える。
【００１４】
実施例では、アクチュエータが、キャップ内の一定量の固定剤溶液と機械的に連通（ｍｅｃｈａｎｉｃａｌ  ｃｏｍｍｕｎｉｃａｔｉｏｎ）するプランジャを装備することができる。アクチュエータが休止状態にあるとき、バルブに対する固定剤溶液の流体圧力が閾値を下回る。一定量の固定剤をバルブの方に流すような方向にアクチュエータが移動することにより、閾値を超えるまでバルブに対する流体圧力が増大する。増大した圧力がバルブ内のチャンネルを開け、それによりバルブを開構成にする。アクチュエータが移動を停止するかまたは流体が完全に容器内に流れると、バルブに対する流体圧力が低下し、バルブ内のチャンネルが自動で閉じ、それによりバルブが閉構成に戻る。このような配列で有用であるバルブの例には、ダックビルバルブおよびチェックバルブが含まれる。
【００１５】
第４の実施形態では、生体試料を保管および／または移送するための組立体内で使用されるためのバルブ組立体が提供され、このバルブ組立体が、
・バルブ上面、バルブ底面およびバルブ周囲部を有するバルブであって、バルブが、バルブ周囲部の近くのバルブ上面に対して力を適用することによりバルブ周囲部が屈曲することで元の構成から変形するように、構築され、力が取り除かれるときにバルブが元の構成に戻る、バルブと、
・バルブの上面の上に嵌合されるようにサイズ決定されるバルブアクチュエータであって、バルブアクチュエータが、
・外側フレーム、
・支持体上面、支持体底面および少なくとも１つのアームを有する支持体構造であって、少なくとも１つのアームが、バルブ表面の頂部上にバルブアクチュエータが配設されているときに、支持体底面上に配設されてバブルの上面に向かって突出する、支持体構造、ならびに、
・外側フレームに取り付けられる第１の端部および支持体構造上に取り付けられる第２の端部を有する少なくとも１つの弾性機構
を備える、バルブアクチュエータと
を備える。
【００１６】
別の実施形態では、支持体上面が、制御組立体を第１の位置から第２の位置まで移動させるように押圧され得るプランジャを有し、その結果、ばねが第１の緩み状態から圧縮され、アームがバルブ上面を押し動かして屈曲させ、それにより流体が排液アパーチャを通って流れることが可能となる。
【００１７】
一実施形態では、バルブ組立体が、外側フレームを有するバルブアクチュエータと、支持体上面、支持体底面、および、支持体底面上に配設されて支持体構造から離れるように外側に突出する複数のアーム、を有する支持体構造と、を有することができる。外側フレームが少なくとも１つのフレームロックタブを備えることができ、フレームロックタブに対して相補的である少なくとも１つのハウジングロックタブを備えるバルブハウジングが提供され得る。フレームロックタブおよびハウジングロックタブが、バルブアクチュエータ屈曲部（ｖａｌｖｅ  ａｃｔｕａｔｏｒ  ｆｌｅｘｕｒｅ）がバルブハウジング内で移動（つまり、回転）するのを防止する。例えば、外側フレームが、２つ、３つまたは４つのフレームロックタブを備えることができ、バルブハウジングが、２つ、３つまたは４つのハウジングロックタブを備えることができる。バルブ組立体が、第１の端部および第２の端部を有する複数のばねをさらに含むことができ、ここでは、各ばねの第１の端部が外側フレームに取り付けられ、各ばねの第２の端部が支持体構造に取り付けられる。ベースと、側壁と、複数の排液アパーチャと、複数のアームアパーチャと、ベース上に配設されるステム開口部と、を備えるバルブハウジングがさらに提供され得る。加えて、バルブ上面と、バルブ底面と、バルブステムとを備えるバルブがバルブ上面に配設され得、ここでは、バルブステムが球根状のステム端部を有する。バルブアクチュエータがバルブハウジング内部に配設され得、バルブがベース上に配設され得、その結果、バルブ上面がベース底面にインターフェース接続されるようになり、ベースがバルブアクチュエータとバルブとの間に位置決めされる。バルブステムの球根状のステム端部が支持体構造のステム開口部を通過することができ、球根状のステム端部がステム開口部に対してバルブステムを固着する。支持体構造の支持体上面がさらに支持体上面でプランジャに接触していてよく、プランジャが組立体を押圧するときに第２の位置まで移動させられ、そこで、複数のばねが圧縮され、バルブ上面がベース底面から離れるように押し動かされ、その結果、流体が排液アパーチャを通って流れることができるようになる。
【００１８】
動作中、バルブ組立体が、頂部分および底部分を有する容器内に配設され、ここでは、頂部分が固定剤溶液を保管するためのものであり、底部分が生体試料を保管するためのも
のである。バルブは結果として以下のようになるようにサイズ決定される：バルブ周囲部が容器の内側表面に対してぴったり嵌合されるか、または、バルブハウジングが頂部分または底部分のいずれかにしっかり嵌合される。バルブ周囲部と容器またはバルブハウジングとの間のぴったりの嵌合により、容器の頂部分と底部分との間での流体の流れを防止するバリアが作られる。アクチュエータの使用者によって開始される作動を促進するプランジャまたは他のデバイスが、使用者とプランジャまたはデバイスとの相互作用を可能にするような配列で容器内に配設される。使用者がデバイスを起動し、支持体構造の上面に力が適用される。上面に適用される力が弾性機構に張力を導入し、バルブの上面に力を適用するような形で少なくとも１つのアームを移動させる。バルブの上面に適用される力がバルブを容器の内側表面から離すように屈曲させ、それによりバルブと容器の内側表面との間にチャンネルを作り、そのチャンネルを通って流体が流れることができる。オペレータがプランジャから力を取り除くと、弾性機構内の張力が解放され、少なくとも１つのアームがバルブの上面から離れるように移動してバルブの上面上の力を解放し、その結果、バルブ周囲部が元の構成に自動で戻り、チャンネルを閉じる。
【００１９】
いくつかの実施形態では、バルブ組立体が、生体試料を保管および／または移送するためのシステムの一部であり、システムが：（ａ）バルブ組立体と、（ｂ）組み立て時に固定剤流体をバルブから分離する主シールを任意選択で含む、保存流体で予め充填されるキャップと、（ｃ）試料収集容器と、を備える。
【００２０】
いくつかの実施形態では、バルブ組立体が試料収集容器または予め充填されたキャップを覆い、その結果、バルブが試料収集容器またはキャップの内部に配設されるようになる。例えば、バルブ組立体が容器またはキャップ上にねじ留めされるかまたはスナップ嵌合される。
【００２１】
いくつかの実施形態では、キャップが、プランジャ、シールおよび流体をさらに備えることができる。キャップがバルブ組立体に取り外し可能に取り付けられ得る。シールがキャップ内部でプランジャおよび流体を密閉することができる。
【００２２】
組立体が第１の位置にあるとき、ばねが緩み状態である。プランジャが支持体上面上に押圧されると、組立体が第１の位置から第２の位置まで移動させられる。組立体が第２の位置にあるとき、ばねが圧縮され、アームがバルブ上面を押し動かしてバルブを屈曲させ、その結果、流体が排液アパーチャを通って流れるようになり、容器内に配設される試料に接触するようになる。
【００２３】
いくつかの実施形態では、流体が保存流体である。他の実施形態では、固定手順が、アルデヒドベースの固定剤溶液のような、架橋剤を利用する。例えば、アルデヒドベースの固定剤溶液はホルマリンである。固定剤溶液の別の例は、ｐＨ７．２〜７．６まで緩衝するようにつまりほぼ等張の溶液を提供するように配合される、リン酸ナトリウムを含む含水ホルムアルデヒド溶液であってよい。別の実施形態では、流体が、米国特許第８，６５８，１０９号に見られるような、ビス無水マレイン酸を含むことができる。他の例示の流体には、限定しないが、塩化第二水銀、ピクリン酸または硫酸亜鉛、などの凝固剤、グリオキサールまたはグルタルアルデヒドなどの非凝固剤の固定剤（ｎｏｎｃｏａｇｕｌａｎｔ  ｆｉｘａｔｉｖｅ）、アセトン、酢酸、ブアン液、あるいは、他の有機溶媒、が含まれてよい。
【００２４】
いくつかの実施形態では、試料が収集され、試料収集容器内部に配置される。試料は、血液、尿、組織、細胞または粘液試料であってよい。例えば、試料は、生検のための異常組織の塊、または、パパニコロウ塗抹のための子宮頸部細胞、の一部分であってよい。
【００２５】
好適には、試料収集システムはガス排出の危険がなく（ｆｕｍｅ−ｓａｆｅ）であり、つまり、流体のガス（ｆｌｕｉｄ  ｆｕｍｅ）を放出しない。
代替的実施形態では、試料収集システムが、子宮頸部組織を集めるための試料採取デバイスなどの試料採取デバイス、血液を集めるためのシリンジ、または、組織を集めるための生検ツール、に結合され得る。例えば、試料採取デバイスが試料を収集し、次いで、試料が試料収集容器内に入れられる。別の実施例では、試料が試料採取デバイスの一部分上で収集され得、次いで、試料含有部分が容器内に配置されて試料採取デバイスから分離され、それにより試料含有部分が容器の内部に残される。例示の試料採取デバイスを米国特許出願公開第２０１４／０１８５０１６５号で見ることができ、その開示が本明細書に組み込まれる。
【００２６】
他の実施形態では、システムがカセットをさらに備える。試料がカセット内に配置され得、カセットが試料収集容器内に配設され得る。好適には、収集容器は、組織学の標準的な組織カセット（ｓｔａｎｄａｒｄ  ｈｉｓｔｏｌｏｇｙ  ｔｉｓｓｕｅ  ｃａｓｓｅｔｔｅ）を完全に挿入するのを可能にするように十分な大きさとなるようにサイズ決定される。
【００２７】
いくつかの実施形態では、試料収集容器が様々な形状および寸法を有してよい。容器の例示の形状には、限定しないが、円筒形および長方形の角柱（ｒｅｃｔａｎｇｕｌａｒ  ｐｒｉｓｍ）が含まれる。また、容器は、約１０ｍｌから３０ｍｌ、約３０ｍｌから５０ｍｌ、約５０ｍｌから７０ｍｌ、または、約７０ｍｌから１００ｍｌの範囲の容量を有することができる。例えば、容器は、約２ｃｍの直径、および、約６０ｍｌのボリュームキャパシティ（ｖｏｌｕｍｅ  ｃａｐａｃｉｔｙ）を有する円筒であってよい。別の実施例として、容器が、２０ｍｌのボリュームキャパシティを有する正方形または長方形チューブであってもよい。
【００２８】
他の実施形態では、試料収集システムが、試料収集容器を留保または保持するように構成されるキャリア組立体と、容器がキャリア組立体内に配置されてラボラトリに移送されるときに容器内の試料または流体に関する時間情報および温度情報の一方または両方を、取得、保管または伝送するように構成される、データロギングデバイスおよび少なくとも１つのセンサを備える監視システムと、をさらに備えることができる。さらに別の実施形態では、システムが、試料収集容器と、キャリア組立体と、監視システムとを移送するための内部保持コンパートメントを備える移送容器を備える。移送容器が、試料を試験施設まで配達するのを可能にする十分な時間量で内部保持チャンバの温度を約０℃から約２０℃の間の温度で維持するように構成され得る。例えば、移送容器が少なくとも１時間にわたって５℃の温度を維持することができる。
【００２９】
例示の移送容器または組立体が、限定しないが、パッケージ、ボトル、バイアル、または、液体媒体および少なくとの１つの試料を保持するのに使用される他の物体を有することができる。トランスポータシステムが、試料の識別情報（ｓａｍｐｌｅ  ｉｄｅｎｔｉｔｙ）、患者情報、試料の起源（ｓａｍｐｌｅ  ｏｒｉｇｉｎ）、試料の分析過程の管理、試料を処理するための命令、試料の性質に関する情報、試料の試験結果、試料の画像、または、組織試料に付随する他の情報、に関連してよい機械可読コード（例えば、視覚的記号、磁気パターンまたは電磁パターン、あるいは、情報コンテンツを有する静電気信号）を有することができる。
【００３０】
いくつかの実施形態では、処理された試料を含む移送組立体が第１のロケーションから第２のロケーションまで移送され得る。例えば、第１のロケーションは、医者のオフィスなどの、試験施設からオフサイトであるロケーションであってよい。この場合、移送組立体が分析のために試験施設に送られる。別の実施例では、第１のロケーションが、試料収
集室などの、試験施設のオンサイトであってよい。この場合、移送組立体が、さらなる処理のために試験施設内の別個の部屋に送られる。
【００３１】
本発明の代替的実施形態が、試料収集容器上に配設される握持構成要素を特徴とすることができる。例えば、握持構成要素は容器の外部表面上に配設される。握持構成要素は、取り扱い時の容器の落下するリスクを低減することができる。さらに、握持構成要素は容器を定位置で保持することができる。
【００３２】
いくつかの実施形態では、握持構成要素が窪み部分を備え、キャリア組立体が突出部を備え、ここでは、窪み部分および突出部がキャリア組立体内で試料収集容器を対合的にロックし、それにより、試料収集容器が変位するのを防止する。他の実施形態では、握持構成要素が突出部を備え、キャリア組立体が窪み部分を備え、ここでは、突出部および窪み部分がキャリア組立体内で試料収集容器を対合的にロックし、それにより試料収集容器が変位するのを防止する。
【００３３】
好適な実施形態では、握持構成要素が、刻み目を有する表面などの、切り欠きのある表面またはパターンを有する表面を備える。刻み目を有する表面は、環状リングパターン、直線の刻み目パターン、または、ひし形の刻み目パターンであってよい。
【００３４】
いくつかの実施形態では、試料収集容器が、中に含まれる流体の温度を測定して監視システムに伝送するための温度センサをさらに備えることができる。他の実施形態では、試料収集容器が無線周波数識別（ＲＦＩＤ：ｒａｄｉｏ  ｆｒｅｑｕｅｎｃｙ  ｉｄｅｎｔｉｆｉｃａｔｉｏｎ）タグをさらに備え、監視システムがＲＦＩＤリーダをさらに備える。
【００３５】
いくつかの実施形態では、バルブが、球根状のステム端部を有するバルブステムをさらに備え、ここでは、バルブステムがバルブ上面上に配設される。一実施形態では、バルブが球根状のステム端部を介してバルブハウジングに取り付けられ、ここでは、球根状のステム端部がバルブハウジングに対してバルブステムを固着する。別の実施形態では、バルブが球根状のステム端部を介してバルブアクチュエータ屈曲部の支持体構造に取り付けられ、ここでは、球根状のステム端部が支持体構造に対してバルブステムを固着する。別の実施形態では、バルブが球根状のステム端部を介してプランジャに取り付けられ、ここでは、球根状のステム端部がプランジャに対してバルブステムを固着する。
【００３６】
複数のアームが支持体底面上に配設され得る。いくつかの実施形態では、複数のアームが支持体構造から離れるように外側に突出する。他の実施形態では、複数のアームが支持体構造から垂直下向きに突出する。
【００３７】
いくつかの実施形態では、複数のばねの各ばねが第１の端部および第２の端部を備える。いくつかの実施形態では、各ばねの第１の端部が外側フレームに取り付けられ得る。例えば、各ばねの第１の端部が外側フレームの内側縁部に取り付けられ得る。いくつかの実施形態では、各ばねの第２の端部が支持体構造に取り付けられ得る。例えば、各ばねの第２の端部が支持体構造の周囲部または支持体底面に取り付けられ得る。
【００３８】
いくつかの実施形態では、組立体が第１の位置にあるとき、バルブが概略凹形である。他の実施形態では、組立体が第２の位置にあるとき、バルブが概略凸形である。
いくつかの実施形態では、複数のアームが複数のアームアパーチャに位置合わせされる。いくつかの実施形態では、アームの数がアームアパーチャの数に等しい。いくつかの実施形態では、複数のアームが４つのアームを含む。他の実施形態では、複数のアームが３つのアームを含む。さらに他の実施形態では、複数のアームが２つのアームを含む。
【００３９】
本明細書で説明される特徴は組立体の任意の実施形態に適用可能である。
いくつかの実施形態では、バルブアクチュエータ屈曲部が可撓性材料から構築される。他の実施形態では、バルブアクチュエータ屈曲部がエラストマ材料から構築される。いくつかの実施形態では、バルブアクチュエータ屈曲部の外側フレームが概略リング形状である。他の実施形態では、バルブアクチュエータ屈曲部の外側フレームの形状が多角形であってよい。
【００４０】
いくつかの実施形態では、バルブが可撓性材料から構築される。他の実施形態では、バルブがエラストマ材料から構築される。いくつかの実施形態では、バルブが概略ディスク形状である。他の実施形態では、バルブがアンブレラバルブである。さらに他の実施形態では、バルブがダックビルバルブまたはチェックバルブであってもよい。
【００４１】
いくつかの実施形態では、外側フレームが少なくとも１つのフレームロックタブをさらに備える。いくつかの実施形態では、バルブハウジングが、フレームロックタブに対して相補的である少なくとも１つのハウジングロックタブを備える。フレームロックタブおよびハウジングロックタブが、バルブアクチュエータ屈曲部がバルブハウジング内で移動（つまり、回転）するのを防止する。例えば、外側フレームが、２つ、３つまたは４つのフレームロックタブを備えることができる。例えば、バルブハウジングが、２つ、３つまたは４つのハウジングロックタブを備えることができる。
【００４２】
いくつかの実施形態では、複数の空気チャンネルがバルブハウジングの側壁のところまたはその近くに配設される。例えば、複数の空気チャンネルは、２つ、３つまたは４つの空気チャンネルである。いくつかの実施形態では、少なくとも１つの空気チャンネルがバルブハウジングの側壁のところまたはその近くに配設される。空気チャンネルが空気および流体を移し替えるのを可能にする。例えば、キャップ内の圧力が大気圧未満になるまで、流体が容器内に流れ出る。これは流体の流れを止めるものであり、空気の移し替えを必要とする。容器内の空気が空気チャンネルを通ってキャップに入ることになり、圧力を増大させ、それにより流体が再び流れることが可能となる。
【００４３】
別の実施例では、キャップ内の液面が低い場合、流れ出る流体に対する重力の影響が大幅に小さくなり、したがって、空気チャンネルが空気の移し替えを必要とする。別の実施例では、容器が傾斜した向きである場合、空気チャンネルのうちのいくつかの空気チャンネルが流体によって塞がれる可能性がある。側壁の周りにいくつかの他の空気チャンネルが存在することから、それらの他の空気チャンネルが塞がれていないときは空気の移し替えが可能である。他の実施形態では、空気チャンネルが、毛細管現象による流体の吸い上がりを原因として遮断されるリスクを低減するのに十分な広さとなるように構築される。
【００４４】
本発明の別の実施形態が、流体中の試料を保存または固定するなどの、試料を処理する方法を特徴とする。試料を固定することで、試料中の細胞の代謝活動を一時中断することができる。
【００４５】
一実施形態では、流体中の試料を保存する方法が、本明細書で説明される試料収集容器を提供するステップと、試料収集容器からの流体の逆流を防止するための本明細書で説明される任意のバルブ組立体を提供するステップと、試料収集容器の内部に試料を配置するステップと、バルブ組立体を用いて試料収集容器を覆うステップと、本明細書で説明される任意のキャップを提供するステップと、バルブ組立体にキャップを取り付けるステップと、試料収集容器内の試料に接触させるように流体を容器内に解放するステップと、を含む。
【００４６】
別の実施形態では、本発明が、試料を処理するための方法を特徴とすることができる。この方法が、本明細書で説明される任意の試料収集容器を提供するステップと、試料収集容器からの流体の逆流を防止するための本明細書で説明される任意のバルブ組立体を提供するステップと、試料収集容器の内部に試料を配置するステップと、バルブ組立体を用いて試料収集容器を覆うステップと、本明細書で説明される任意のキャップを提供するステップと、バルブ組立体にキャップを取り付けるステップと、流体を容器内に解放するステップと、試料収集容器内に含まれる試料に流体を接触させるステップと、キャリア組立体の保持壁内に試料収集容器を配置するステップと、キャリア組立体を移送組立体内に配置するステップと、第１のロケーションから第２のロケーションまで移送組立体を移送するステップと、を含むことができる。
【００４７】
いくつかの実施形態では、流体の平均温度が約０℃から５℃の間である。例えば、流体の平均温度が最大で約５℃である。別の実施形態では、流体の平均温度が最大で約０℃である。
【００４８】
いくつかの実施形態では、キャリア組立体が少なくとも１つのデータロギングデバイスをさらに備える。いくつかの実施形態では、この方法が、キャリア組立体のデータロガーデバイス内で、試料に関連する時間情報および温度情報を検出および保管するステップをさらに含むことができる。他の実施形態では、時間情報および温度情報を検出するステップが、流体または試料の温度を測定するステップと、流体が試料に接触するときの接触時間を測定するステップと、温度・接触時間の測定値を保管するステップと、を含むことができる。いくつかの実施形態では、移送組立体が第１のロケーションから第２のロケーションまで移送される間、試料に関連する時間・温度情報が検出される。
【００４９】
いくつかの実施形態では、試料収集容器がバルブ組立体で覆われ、その結果、バルブが試料収集容器の内部に配設される。他の実施形態では、キャップがバルブ組立体に取り付けられ、その結果、バルブアクチュエータ屈曲部がベースとキャップとの間に位置決めされる。
【００５０】
いくつかの実施形態では、プランジャを押し下げて主シールを破損し、支持体構造の支持体上面を押し動かしてばねを圧縮することにより、流体が容器内に解放される。次いで、アームがアームアパーチャ（１３４）を通過してバルブ上面を押し動かす。バルブが屈曲し、その結果、バルブ上面がベース底面から離れるように押し動かされ、その結果、流体が、破損したシールから流れ出て排液アパーチャを通って試料収集容器に入ることが可能となる。
【００５１】
いくつかの実施形態では、試料を提供するステップが、体腔内に試料採取デバイスを挿入するステップと、試料採取デバイスを用いて体腔から試料を収集するステップと、試料採取デバイスを体腔から取り出すステップと、を含む。試料が試料採取デバイスの試料収集部分によって収集され得る。例えば、試料収集部分が、吸収性スワブ（ａｂｓｏｒｂｅｎｔ  ｓｗａｂ）、ニードルまたは生検パンチツールであってよい。
【００５２】
いくつかの実施形態では、試料収集容器の内部に試料を配置するステップが、試料を有する試料収集部分を容器内に挿入するステップと、試料収集部分を試料採取デバイスから分離するステップあって、その結果、試料収集部分および試料が容器の内部に配設されることになる、ステップと、を含む。他の実施形態では、試料を有する試料収集部分を容器内に挿入して試料収集部分から試料が抽出して試料のみを容器の内部に配設するような形で、試料が容器内部に配置され得る。
【００５３】
いくつかの実施形態では、主シールが非反応性の可撓性材料から構築され得る。好適に
は、主シールが、プランジャによりシールを破損するのを可能にするように十分に薄い。
いくつかの実施形態では、ばねの第１の端部がバルブハウジングのベースに取り付けられる。例えば、ばねの第１の端部がベースの任意の場所に取り付けられ得る。第１の端部がベースの周囲部の近くにまたは周囲部のところに取り付けられ得る。別法として、第１の端部がベースの中心の近くにまたは中心のところに取り付けられ得る。いくつかの実施形態では、ばねの第２の端部が支持体構造に取り付けられる。例えば、ばねの第２の端部が支持体構造上の任意の場所に取り付けられ得る。第２の端部が支持体構造の周囲部の近くにまたは周囲部のところに取り付けられ得る。別法として、第２の端部が支持体構造の中心の近くにまたは中心のところに取り付けられ得る。いくつかの実施形態では、支持体構造が、約２つ、３つ、４つまたは５つのばねなどの、複数のばねを備えることができる。
【００５４】
いくつかの実施形態では、アームが支持体底面上に配設され得る。いくつかの実施形態では、アームが支持体構造から離れるように外側に突出する。別法として、支持体構造が、約２つ、３つ、４つまたは５つのアームなどの、複数のアームを備えることができる。
【００５５】
いくつかの実施形態では、排液アパーチャおよびアームアパーチャ（１３４）がベース上に配設される。いくつかの実施形態では、バルブハウジングが、約２つ、３つ、４つまたは５つの排液アパーチャなどの、複数の排液アパーチャを備えることができる。いくつかの実施形態では、バルブハウジングが、約２つ、３つ、４つまたは５つのアームアパーチャなどの、複数のアームアパーチャを備えることができる。
【００５６】
いくつかの実施形態では、バルブがさらにプランジャまたはアクチュエータを用いて「屈曲」させられ得るか、または、バルブが平行移動させられ得る。バルブが平行移動させられる場合、バルブは屈曲する必要がなく、それにより可能性として、バルブに対してより多くの材料を選択することが可能となる。
【００５７】
任意の組み合わせに含まれる特徴が互いに矛盾しないことが、文脈、本明細書、および、当業者の知識から明らかである場合、本明細書で説明されるいかなる特徴または特徴のいかなる組み合わせも本発明の範囲に含まれる。本発明の追加の利点および態様が、以下の詳細な説明および特許請求の範囲から明らかとなる。
【図面の簡単な説明】
【００５８】
【図１Ａ】図１Ａ〜図１Ｆは、種々の構成の従来の試料移送組立体を示す図である。図１Ａは、完全な状態の内部シールを備える組立体を示す図である。
【図１Ｂ】図１Ｂは、シールに孔を開けられた後の、同じ容器を示す図である。
【図１Ｃ】図１Ｃは、キャップから容器へとすべての流体が排液された後の、直立構成の容器を示す図である。
【図１Ｄ】図１Ｄは、反転した直後の図１Ｃからの容器を示す図である。
【図１Ｅ】図１Ｅは、容器からキャップへとすべての流体が排液された後の反転構成の図１Ｃからの容器を示す図である。
【図１Ｆ】図１Ｆは、水平構成で保管されるときの図１Ｃからの容器を示す図である。
【図２Ａ】図２Ａ〜図２Ｅは、種々の構成の、本発明の試料移送組立体を示す概略図である。図２Ａは、試料を追加して容器を組み立てた直後の閉構成の組立体を示す図である。
【図２Ｂ】図２Ｂは、バルブが開構成へと切り替えられた直後の同じ容器を示す図である。
【図２Ｃ】図２Ｃは、キャップから容器へとすべての流体が排液されてバルブが閉構成へと戻った後の、直立構成の容器を示す図である。
【図２Ｄ】図２Ｄは、反転して保管されるときの図２Ｃからの容器を示す図である。
【図２Ｅ】図２Ｅは、水平構成で保管されるときの図２Ｃからの容器を示す図である。
【図３Ａ】図３Ａ〜３Ｃは、固有の弾性を有する材料を組み込む例示のバルブ組立体を示す図である。図３Ａは、閉構成のバルブを示す図である。
【図３Ｂ】図３Ｂは、開構成の３Ａのバルブを示す図であり、ここでは、固有の弾性を有する材料が外側周囲部のところで変形する。
【図３Ｃ】図３Ｃは、開構成の図３Ａのバルブを示す図であり、ここでは、固有の弾性を有する材料がバルブステムの一部を形成し、これが開構成において広がる。
【図４Ａ】図４は、固有の弾性を有する材料を組み込む別の例示のバルブ組立体を示す図である。図４Ａは、閉構成のバルブを示す図である。
【図４Ｂ】図４Ｂは、開構成の図４Ａのバルブを示す図であり、ここでは、固有の弾性を有する材料が外側周囲部のところで変形する。
【図５Ａ】図５は、例示のバルブ組立体を示す図であり、ここでは、バルブのシールが弾性機構に接触しており、開構成から閉構成へのバルブの切り替えを実行する。図５Ａは、閉構成のバルブを示す図であり、開構成にあるときに圧縮する弾性機構を伴う。
【図５Ｂ】開構成のバルブを示す図であり、開構成にあるときに圧縮する弾性機構を伴う。
【図５Ｃ】閉構成のバルブを示す図であり、開構成にあるときに広がる弾性機構を伴う。
【図５Ｄ】開構成のバルブを示す図であり、開構成にあるときに広がる弾性機構を伴う。
【図６Ａ】図６は、別の例示のバルブ組立体を示す図であり、ここでは、バルブのシールが弾性機構に接触しており、開構成から閉構成へのバルブの切替えを実行する。図６Ａは、閉構成のバルブを示す図であり、開構成にあるときに圧縮する弾性機構を伴う。
【図６Ｂ】開構成のバルブを示す図であり、開構成にあるときに圧縮する弾性機構を伴う。
【図６Ｃ】閉構成のバルブを示す図であり、開構成にあるときに広がる弾性機構を伴う。
【図６Ｄ】開構成のバルブを示す図であり、開構成にあるときに広がる弾性機構を伴う。
【図７Ａ】図７は別の例示のバルブ組立体を示す図であり、ここでは、バルブのシールが弾性機構に接触しており、開構成から閉構成へのバルブの切替えを実行する。図７Ａは、閉構成のバルブを示す図であり、開構成にあるときに広がる弾性機構を伴う。
【図７Ｂ】開構成のバルブを示す図であり、開構成にあるときに広がる弾性機構を伴う。
【図７Ｃ】閉構成のバルブを示す図であり、開構成にあるときに圧縮する弾性機構を伴う。
【図７Ｄ】開構成のバルブを示す図であり、開構成にあるときに圧縮する弾性機構を伴う。
【図８Ａ】図８は、別の例示のバルブ組立体を示す図であり、ここでは、バルブのシールが弾性機構に接触しており、弾性機構が回転して開構成から閉構成へのバルブの切替えを実行する。図８Ａは、閉構成のバルブを示す図であり、閉構成における、流体流れに対してのバリアを作るためにシールが内部壁に接触している構成を示す図である。
【図８Ｂ】開構成へと切り替わるバルブを示す図であり、閉構成における、流体流れに対してのバリアを作るためにシールが内部壁に接触している構成を示す図である。
【図８Ｃ】開構成から閉構成へと切り替わるバルブを示す図であり、閉構成における、流体流れに対してのバリアを作るためにシールが内部壁に接触している構成を示す図である。
【図８Ｄ】閉構成のバルブを示す図であり、閉構成における、流体流れに対してのバリアを作るためにシールが内部壁に接触している構成を示す図である。
【図８Ｅ】開構成へと切り替わるバルブを示す図であり、閉構成における、流体流れに対してのバリアを作るためにシールが内部壁に接触している構成を示す図である。
【図８Ｆ】開構成から閉構成へと切り替わるバルブを示す図であり、閉構成における、流体流れに対してのバリアを作るためにシールが内部壁に接触している構成を示す図である。
【図８Ｇ】閉構成のバルブを示す図であり、閉構成における、流体流れに対してのバリアを作るために、アパーチャを含む表面に対してシールが押圧されている構成を示す図である。
【図８Ｈ】開構成へと切り替わるバルブを示す図であり、閉構成における、流体流れに対してのバリアを作るために、アパーチャを含む表面に対してシールが押圧されている構成を示す図である。
【図８Ｉ】開構成から閉構成へと切り替わるバルブを示す図であり、閉構成における、流体流れに対してのバリアを作るために、アパーチャを含む表面に対してシールが押圧されている構成を示す図である。
【図９Ａ】図９は、別の例示のバルブ組立体を示す図であり、ここでは、バルブのシールが弾性機構に接触しており、弾性機構が曲がって開構成から閉構成へのバルブの切替えを実行する。図９Ａは、閉構成のバルブを示す図である。
【図９Ｂ】図９Ｂは、開構成へと切り替わるバルブを示す図である。
【図９Ｃ】図９Ｃは、開構成から閉構成へと切り替わるバルブを示す図である。
【図１０Ａ】図１０は、本発明で有用であるフラッパバルブ組立体の実施形態を示す図である。図１０Ａは、閉構成のフラッパバルブを示す図である。
【図１０Ｂ】開構成のフラッパバルブを示す図である。
【図１０Ｃ】開構成から閉構成へと切り替わるフラッパバルブを示す図である。
【図１０Ｄ】反転位置にあるフラッパバルブを示す図であり、流体の重量に逆らって保持のための機構がいかにしてバルブを閉構成で保持するかを示している。
【図１１】特定の実施形態を示す分解図である。
【図１２】特定の実施形態を示す分解図である。
【図１３Ａ】図１３Ａは、非圧縮位置にある本発明のバルブ屈曲部を示す図である。
【図１３Ｂ】図１３Ｂは、圧縮位置にある本発明のバルブ屈曲部を示す図である。
【図１４】非圧縮位置にある本発明を示す図である。
【図１５】圧縮位置にある本発明を示す図である。
【図１６】図１５の断面Ｃ−Ｃを示す断面図である。
【図１７Ａ】図１７Ａは、図１４の断面図である。
【図１７Ｂ】図１７Ｂは、図１５の断面図である。
【図１８Ａ】図１８Ａは、非圧縮位置にある本発明を示す図である。
【図１８Ｂ】図１８Ｂは、圧縮位置にある本発明を示す図である。
【図１８Ｃ】図１８Ｃは、傾斜した向きにある本発明を示す図である。
【図１９Ａ】図１９Ａは、図１８Ｂの断面図である。
【図１９Ｂ】図１９Ｂは、図１８Ｃの断面図である。
【図２０Ａ】図２０Ａは、キャップ内にホルマリンを有する、非圧縮位置にある本発明を示す図である。
【図２０Ｂ】図２０Ｂは、シールに孔を開けた後の、重力ベースでホルマリンを排液する本発明を示す図である。
【図２０Ｃ】図２０Ｃは、本発明内での空気流れを示す図である。
【図２１Ａ】図２１Ａは、流体体積が小さいときの本発明の流体−空気の移し替えを示す図である。
【図２１Ｂ】図２１Ｂは、傾斜した向きにある本発明の小さい流体体積での流体−空気の移し替えを示す図である。
【図２２Ａ】本発明の代替的実施形態を示す図である。
【図２２Ｂ】本発明の代替的実施形態を示す図である。
【図２２Ｃ】本発明の代替的実施形態を示す図である。
【図２３】本発明の実施形態を示す図である。
【発明を実施するための形態】
【００５９】
多くの医療診断試験が固定された組織試料を使用することを必要とし、これは、大量の組織固定剤溶液の使用を必要とする。一般に使用される多くの組織固定剤溶液は有害であると疑われるようなものである。例えば、ホルマリンは発癌性があると疑われている。したがって、使用される固定剤溶液に対して検査技師を曝すのを最小にすることが重要である。
【００６０】
固定剤への露出を最小にするための１つの戦略は、容器の一部分内で隔離される一定量の固定剤溶液を含む試料保管・移送容器を提供することである。このような配列が図１に示される。容器が、基本的には、組織試料を保持するための下側チャンバ（００１）と、固定剤溶液（００３）で予め充填される上側チャンバ（００２）とを備える。脆いシール（００４）が、下側チャンバ（００１）内へ計量分配される準備が整うまで上側チャンバ（００２）内で固定剤溶液（００３）を隔離するために、上側チャンバ（００２）内に配設される。組織試料（００５）が下側チャンバ（００２）内に配設されると、使用者が上側チャンバ（００２）を下側チャンバ（００１）に取り付ける（図１Ａ）。チャンバが取り付けられると、機構が起動され、脆いシール（００４）内に裂け目（００６）が導入され、固定剤溶液（００３）が裂け目（００６）を通って下側チャンバ（００１）内まで流れる（図１Ｂ）。上側チャンバが下側チャンバの上方に位置決めされる限りにおいては、組織試料（００５）が下側チャンバ（００１）内の固定剤溶液（００４）に完全に浸漬される（図１Ｃ）。しかし、容器が反転されるか（図１Ｄおよび１Ｅ）または横向きに配置される（図１Ｆ）と、固定剤溶液が裂け目（００６）を通って上側チャンバ（００２）内に戻るように自由に流れる（００８）ことができ、それにより試料が固定剤溶液の完全に外側にくるか（００５ａ）または部分的に外側にくるようになる（００５ｂ）可能性があり、相当な時間にわたって空気に露出される可能性がある。これにより組織試料の完全性を落とす。また、固定剤溶液のこのような逆流を生じさせるような位置に容器があるのかどうかが常に明らかというわけではない。
【００６１】
本発明は、上側チャンバと下側チャンバとの間にバルブを配置することによりこの問題に対処する。バルブが上側チャンバから下側チャンバへと流体が流れるのを可能にするように開放可能であり、容器の反転時または横向きの配置時には下側チャンバから上側チャンバへの流体の逆流を防止するように自動で閉じる。一般的な概念が図２に示される。組織試料（００５）が下側チャンバ（００１）内に配設され、上側チャンバ（００２）が下側チャンバ（００１）に取り付けられる。バルブ（００９）は取り付けられるときは閉構成（００９ａ）であり、それにより、上側チャンバ（００２）から下側チャンバ（００１）への固定剤溶液（００３）の流れを防止する（図２Ａ）。オペレータがアクチュエータ（図示せず）を起動し、それによりバルブが開構成（００９ｂ）となり、多数のチャンネル（０１０）を作り、それらを通って、固定剤溶液（００３）が上側チャンバから下側チャンバ（０１１）へと流れることができ（図２Ｂ）、引き換えに、空気が下側チャンバ（００１）から上側チャンバ（００２）まで通気され得る。オペレータがアクチュエータの動作を停止すると、バルブが自動で閉構成（００９ａ）に戻り、それにより、下側チャンバ（００１）内で固定剤溶液（００３）を隔離し、ここでは組織試料（００５）が固定剤溶液に浸漬された状態である。容器が反転されるか（図２Ｄ）または横向きに配置される（図２Ｅ）場合でも、組織試料（００５）が固定剤溶液（００３）に浸漬された状態を維持する。
Ｉ．  バルブ組立体
流体の流れを選択的に可能にするためのバルブ組立体が提供される。バルブ組立体が、
概して：（１）開構成と閉構成との間で移動可能であるバルブ；および、（２）バルブを閉構成から開構成へと切り替えるためにバルブに第１の力を適用するように適合されるアクチュエータ、を備える。
Ａ．  バルブ
バルブに適用される第１の力が閉構成から開構成へとバルブを切り替える。バルブは概して以下のように構成される：第１の力がないときにバルブが閉構成に自動で復帰する。
【００６２】
バルブの一配列では、バルブが、第１のチャンバと第２のチャンバとの間のバリアの少なくとも一部を形成する、固有の弾性を有する材料を有する。本明細書で使用される「固有の弾性を有する材料」とは、その表面に力が適用されるときに変形する傾向を有するが、力が取り除かれるときにその元の形状に戻る傾向を有する、任意の材料である。第１の力が材料を変形させ、それにより第１のチャンバと第２のチャンバとの間にチャンネルを作り、このチャンネルを通って流体が流れることができる。第１の力が取り除かれると、材料の固有の弾性が材料をその元の形状に戻し、それによりチャンネルが閉じられ、それにより、組立体の向きに関係なく第２のチャンバから第１のチャンバへの流体の逆流が防止される。この実施形態のアクチュエータが、変形させるように材料の表面に接触するように配置され得る剛体部材を有することができる。したがって、例えば、アクチュエータに対して第２の力を適用することにより、固有の弾性を有する材料に接触するように剛体部材が移動させられ、それにより材料を変形させ、それによりバルブが開構成となる。また、このように材料に向かって剛体部材が移動することで、第２の力の反対に作用するような、アクチュエータに作用する第３の力を生じさせることができ、その結果、第２の力が取り除かれるときに第３の力が材料から離れるように剛体部材を移動させる。アクチュエータがこの材料に向かって移動させられるとき、例えば、アクチュエータに接触するように配置される弾性機構が、曲げられるか、圧縮されるか、広げられるか、捻じられるか、または、回転させられ、それにより弾性機構に張力を導入する。弾性機構に組み入れられる張力がアクチュエータに第３の力を作用させ、その結果、第２の力が取り除かれるときにアクチュエータが材料から離れるように押され、材料がその元の形状に戻ることが可能となる。加えてまたは別法として、固有の弾性を有するこの材料により、第３の力がアクチュエータに作用され得る。この材料を変形させることによりこのシステムに張力が導入され、この張力がこの材料をその元の形状に戻すような傾向を有する。したがって、第２の力がアクチュエータに適用されて剛体部材がこの材料を変形させるとき、この材料に蓄積する張力により第３の力がアクチュエータに適用される。第２の力が維持される限りにおいて、張力が材料内で留保されることになる。しかし、第２の力が取り除かれると、張力が解放され、それにより材料がその元の形状に戻り、アクチュエータが材料から離れるように押される。固有の弾性を有するこのような材料を組み込むバルブの例には、例えば、アンブレラバルブまたはダックビルバルブが含まれる。固有の弾性を有する材料を組み込むバルブの非限定の図が図３および４に示される。
【００６３】
図３では、バルブ（００９）が、第１のチャンバと第２のチャンバとの間に位置する表面（０１２）に対して固着される。表面（０１２）が、アクチュエータ（０１４）の一部分をバルブに接触させるのを可能にするための第１のアパーチャ（０１３）と、表面を通過して流体が流れるのを可能にするための１つまたは複数の第２のアパーチャ（０１５）とを有する。バルブが、上面（垂直ハッチング線で示される）および底面（斜めのハッチング線で示される）を有する弾性材料から構築され、バルブステム（０１６）を介して表面（０１２）に固定される。図３Ａに示されるように、バルブステム（０１６）が、表面（０１２）に対して密に弾性材料の上面を保持し、それにより第２のアパーチャ（０１５）を密閉し、表面（０１２）を通過する流体流れを防止する。図３Ｂに示されるように、第２の力（０１７）がアクチュエータ（０１４）に適用されると、アクチュエータ（０１４）が第１のアパーチャ（０１３）を通って移動して弾性材料の上面に接触し、弾性材料を変形させ、弾性材料の上面をバルブステム（０１６）の周りの表面（０１２）から離れるように変形させ、それにより第２のアパーチャが開けられ、それにより流体が流れることが可能となる（破線の矢印（ｈａｔｃｈｅｄ  ａｒｒｏｗ）で示される）。変形により弾性材料に張力が生じ、その結果、第２の力（０１７）が取り除かれてアクチュエータ（０１４）が弾性材料の上面から離れるように移動する場合には、張力が解放され、バルブの上面が表面（０１２）の方に戻るように屈曲して図３Ａに示される構成となり、それにより第２のアパーチャが再び密閉される。図３Ｃに示されるように、固有の弾性を有する材料で作られるバルブステム（０１６）を備えるかまたは弾性機構を有するバルブ（００９）を構築することによっても同様の効果が実現され得る。このような配列では、バルブステム（０１６）が広がることにより変形することになり、それにより上面を表面（０１２）から離すように移動させ、バルブステム（０１６）内に張力を導入する。第２の力（０１７）が取り除かれてアクチュエータ（０１４）が弾性材料の上面から離れるように移動すると、張力が解放され、それによりバルブステム（０１６）が上面を図３Ａの構成に戻すように引っ張り、ここではバルブの上面が表面（０１２）に接触し、第２のアパーチャ（０１５）を再び密閉する。
【００６４】
図４では、バルブ（００９）が第１のチャンバと第２のチャンバとの間のポイントに配設され、バルブステム（０１６）によって定位置で固着される。図４Ａに示される閉構成では、バルブ（００９）が結果として以下のようになるように配設される：バルブ（００９）の外側周囲部が、第１のチャンバから第２のチャンバまで流体がそこを通って流れることができるチャンネルを画定する内壁（０１８）に対してぴったり嵌合される。したがって、この構成のバルブ（００９）は、第１のチャンバと第２のチャンバとの間での流体の移し替えを防止するバリアを提供する。図４Ｂに示されるように、第２の力（０１７）がアクチュエータ（０１４）に適用されると、アクチュエータ（０１４）が弾性材料に接触し、弾性材料の周囲部を内壁（０１８）から離すように変形させ（０１９）、それにより隙間を作り、その隙間を通しての流体流れを生じさせることができる（破線の矢印で示される）。変形により弾性材料内に力が生じ、その結果、第２の力（０１７）が取り除かれてアクチュエータ（０１４）が弾性材料から離れるように移動する場合には、弾性材料の力がバルブ（００９）の外側周囲部を内壁（０１８）の方に戻すように屈曲させ、それにより図４Ａの閉構成を回復し、それによりチャンネルを再び密閉する。
【００６５】
別の実施形態では、バルブが：（１）シール；および、（２）シールに接続される弾性機構、を備える。閉構成では、弾性機構が、流体流れに対してのバリアを作るような位置でシールを保持する。第１の力が、そこを通って流体が流れることができるようなチャンネルを作るようにシールを移動させ、弾性機構が、シールを閉構成に戻すような傾向を有する力を発生させ、これが例えば、弾性機構を圧縮するか、伸ばすか、曲げるか、または、捻じることによって行われる。第１の力が解放されると、弾性機構によって生じた力がシールを閉構成へと戻るように移動させる。弾性機構の非限定の例には：コイルばね、平ばね、機械式ばね（ｍａｃｈｉｎｅｄ  ｓｐｒｉｎｇ）、板ばね、サーペンタインスプリング、ガススプリング、ネゲータばね、片持ちばね、Ｖばね、皿ばね（Ｂｅｌｌｅｖｉｌｌｅ  ｓｐｒｉｎｇ）、ウェーブスプリング、定荷重ばね、非線形特性コイルばね（ｐｒｏｇｒｅｓｓｉｖｅ  ｒａｔｅ  ｃｏｉｌ  ｓｐｒｉｎｇ）、などのばね（引張ばね、圧縮ばね、および、ねじりばね、を含む）；弾性バンド（ゴムバンド、および、弾性重合体のバンド、など）；ならびに、磁気機構、などが含まれる。弾性機構は、第１の力を取り除いた後での第１のチャンバと第２のチャンバとの間の流体の移し替えを防止するような位置でシールをしっかりと保持するのに十分な弾性を有さなければならない。加えて、シールは、開構成時に、１つまたは複数のチャンネルを含むことができ、この１つまたは複数のチャンネルを通して第１のチャンバと第２のチャンバとの間で空気が移し替えられ得る。流体チャンネルおよび空気チャンネルは同じチャンネルであってもまたは異なるチャンネルであってもよい。
【００６６】
シール／弾性機構の非限定の図が図５〜１０に示される。図５が、流体流れ（０１５）のための第２のアパーチャを含む表面に接触するようにシール（０２０）が保持されるような非限定の実施例を示す。図５Ａおよび５Ｂでは、弾性機構（０２１）が圧縮時に張力を受けるように設計される。弾性機構（０２１）が、第２のチャンバに近接する底面（０２２）とシール（０２０）との間に配設され、シール（０２０）が弾性機構（０２１）と第１のチャンバに近接する上面（０２３）との間に配設される。上面（０２３）が、アクチュエータ（０１４）の一部分をシール（０２０）に接触させるのを可能にするための第１のアパーチャ（０１３）を含み、上面（０２３）および底面（０２２）の両方が、第１のチャンバと第２のチャンバとの間での流体流れおよび／または空気の移し替えを可能にするための第２のアパーチャ（０１５）を含む。図５Ａに示されるように、閉位置では、シール（０２０）が弾性機構（０２１）により上面（０２３）に対して押圧され、それにより第２のアパーチャ（０１５）を通る流体流れを防止する。図５Ｂに示されるように、第２の力（０１７）がアクチュエータ（０１４）に適用されると、アクチュエータ（０１４）が第１のアパーチャ（０１３）を通って移動してシール（０２０）を押圧する。弾性機構（０２１）が圧縮され、シールが上面（０２３）から離れるように移動し、それにより、第２のアパーチャ（０１５）の間を流体が流れることが可能となる（破線の矢印で示される）。第２の力が取り除かれると、圧縮された弾性機構（０２１）の力が上面（０２３）に対して後方でシールを押し動かし、それにより上面（０２３）の第２のアパーチャ（０１５）を通しての流体の移し替えを防止する。図５Ｃおよび図５Ｄでは、弾性機構（０２１）が、伸ばされるときに張力を受けるように設計される。弾性機構（０２１）が一方の端部のところでシール（０２０）に取り付けられ、もう一方の端部のところで第１のチャンバ（０２２）に近接する上面に取り付けられ、シール（０２０）が、上面（０２２）と第１のチャンバに近接する底面（０２３）との間に配設される。上面（０２３）が、アクチュエータ（０１４）の一部分をシール（０２０）に接触させるのを可能にするための第１のアパーチャ（０１３）を含み、上面（０２３）および底面（０２２）の両方が、第１のチャンバと第２のチャンバとの間での流体流れおよび／または空気の移し替えを可能にするための第２のアパーチャ（０１５）を含む。図５Ｃに示されるように、閉位置で、シール（０２０）が弾性機構（０２１）により上面（０２３）に対して引っ張られ、それにより、第２のアパーチャ（０１５）を通る流体流れを防止する。図５Ｄに示されるように、第２の力（０１７）がアクチュエータ（０１４）に適用されると、アクチュエータ（０１４）が第１のアパーチャ（０１３）を通って移動してシール（０２０）を押圧する。弾性機構（０２１）が広げられ、シールが上面（０２３）から離れるように移動し、それにより、第２のアパーチャ（０１５）の間を流体が流れることが可能となる（破線の矢印で示される）。第２の力が取り除かれると、広げられた弾性機構（０２１）の力が上面（０２３）に対して後方にシールを押し動かし、それにより上面（０２３）の第２のアパーチャ（０１５）を通しての流体の移し替えを防止する。
【００６７】
図６および図７が、円筒（０１８）の内壁の間にシールが配設されるような非限定の実施例を示す。第２の力（０１７）の適用によりシール（０２０）が第１の位置から第２の位置へと移動させられ、その間、弾性機構（０２１）が、圧縮されるか（図６Ｂおよび図７Ｂ）または広げられる（図６Ｄおよび７Ｄ）ときに第２の位置から第１の位置へとシール（０２０）を戻す傾向を有する力を生じさせるように位置決めされる。円筒は結果として以下のようになるようにサイズ決定される：第１の位置においてシール（０２０）の外側周囲部が内壁（０１８）にぴったり嵌合され、第１のチャンバと第２のチャンバとの間にバリアを作り（図６Ａ、６Ｃ、７Ａおよび７Ｃを参照）、開位置において、内壁（０１８）とシール（０２０）との間に隙間が形成され、この隙間がチャンネルを画定し、このチャンネルを通して第１のチャンバと第２のチャンバとの間で流体が移し替えられ得る（破線の矢印で示される）（図６Ｂ、６Ｄ、７Ｂおよび７Ｄを参照）。例えば、内壁（０１８）が、第２の位置よりも第１の位置においてより狭くなる円錐台形の円筒を画定することができる（図６を参照）。別の実施例では、内壁（０１８）が、第２の円筒に嵌合される第１の円筒を画定することができ、第１の円筒が第２の円筒より狭く、その結果、シールが第１の位置から第２の位置まで移動することで、シールが第１の円筒から第２の円筒まで移動することになる（図７を参照）。この実施例では、第１の円筒が、例えば、バルブ支持体内にあるアパーチャであってよく、第２の円筒が第１または第２のチャンバであってよく、その結果、第２の力がシールを第１の円筒から第１または第２のチャンバ内まで移動させる。別法として、バルブ支持体が第１のチャンバおよび第２のチャンバの両方を含んでもよい。第２の力（０１７）がアクチュエータ（０１４）に適用されると、アクチュエータ（０１４）がシール（０２０）を押圧し、弾性機構（０２１）が圧縮されるか（図６Ｂおよび７Ｂ）または広げられ（図６Ｄおよび７Ｄ）、シールが第１の位置から第２の位置まで移動し、それにより第１のチャンバと第２のチャンバとの間で流体が流れるのを可能にする（破線の矢印によって示される）。第２の力が取り除かれると、広げられるかまたは圧縮された弾性機構（０２１）の力がシール（０２０）を押し動かして第１の位置に戻して内壁（０１８）に接触させ、それにより流体の移し替えを防止する。
【００６８】
図８が、開構成と閉構成との間を切り替えるためにシールが弾性機構の周りで回転させられるような非限定の実施例を示す。弾性機構（０２１）が、弾性機構（０２１）の周りでシール（０２０）を回転させるのを可能にするような配列でシール（０２０）に取り付けられる。アクチュエータ（０１４）に対して第２の力（０１７）を適用することにより、アクチュエータがシール（０２０）の縁部を押圧し、それによりシール（０２０）を閉位置から開位置（０２４）まで回転させ、それにより、そこを通って流体が流れることができる（破線の矢印で示される）チャンネルを作る。シールを回転させることで弾性機構（０２１）内にトルクを蓄積する（図８Ｂ、８Ｅおよび８Ｈを参照）。第２の力（０１７）が取り除かれると、トルクが解放され、それによりシール（０２０）を閉位置（０２５）に戻すように回転させ、それにより第１のチャンバと第２のチャンバとの間での流体流れを防止する。弾性機構（０２１）は、外側縁部のところで（図８Ａ〜図８Ｃおよび図８Ｇ〜図８Ｉを参照）、または、シール（０２０）の中心に向かうポイントの周りで（図８Ｄ〜図８Ｆを参照）、シール（０２０）を回転させるように、配列され得る。シール（０２０）が内壁（０１８）にぴったり嵌合されるように位置決めされ得、その結果、シール（０２０）が開位置へ回転することにより内壁（０１８）とシール（０２０）との間に隙間が作られる。あるいは、シール（０２０）は、流体流れを可能にするための第２のアパーチャ（０１５）と、アクチュエータ（０１４）とシール（０２０）との間の接触を可能にするための第１のアパーチャ（０１３）と、を含む内側表面（０２２）に対してバリアを作るように構成され得る。
【００６９】
図９が、弾性機構（０２１）が、アクチュエータ（０１４）への第２の力（０１７）の適用に反応して曲げられる剛体部材を備えるような、非限定の実施形態を示す。弾性機構（０２１）が、閉構成においてシール（０２０）を保持するような形で剛体部材をシール（０２０）の表面に接触させるように、配列される（図９Ａを参照）。アクチュエータ（０１４）に対して第２の力（０１７）が適用されるとシール（０２０）が弾性機構（０２１）の剛体部材に対して押し動かされ、それにより剛体部材が曲がり（０２６）、シール（０２０）が、そこを通って流体がシールを通過するように流れる（破線の矢印で示される）ことができるチャンネルを作るのに十分な程度で移動することが可能となる（図９Ｂを参照）。曲げ（０２６）は剛体部材自体の中においてであってよいか、または、剛体部材が例えばねじりばねに接続されてもよい。いずれの場合も、曲げの結果として力が生じ、その結果、第２の力が取り除かれる場合には、剛体部材内の力が剛体部材を直線化し（０２７）、それによりシール（０２０）を閉位置へと戻すように押す。
【００７０】
いくつかの構成では、第１の力がバルブを閉構成から開構成へと切り替えるが、バルブを開構成で維持することは要求されない。１つの例としてはフラッパバルブがあり、その非限定の実施例が図１０に示される。バルブが、固定剤溶液中で浮揚性を有するような形
状の材料で構築されるシール（０２１）を備える。シール（０２１）が、閉構成において第１のチャンバと第２のチャンバとを接続するアパーチャ（０１５）内にぴったり嵌合されるように配設される（図１０Ａを参照）。アクチュエータ（０１４）がシール（０２１）の第１の端部に接続され、ヒンジ（０２８）がシール（０２１）の反対側の端部のところに配設され、その結果、アクチュエータ（０１４）に対して第２の力（０１７）が適用されることで、シール（０２１）がヒンジ（０２８）周りで回転してアパーチャ（０１５）から離れるようになる。この位置では、十分な量の固定剤流体がアパーチャを通って流れるまで（破線の矢印で示される）、シールの固有の浮揚性によりシールが開構成で保持されることになる（０２９）（図１０Ｂを参照）。最終的に、シール（０２１）を開けた状態で維持するのに不十分な浮力がシール（０２１）上に留まることになりシール（０２１）がそれ自体の重量（０３０）により落下して閉構成に戻る（図１０Ｃを参照）。対をなす磁石（０３１）などの保持機構が、反転時においても、第２の力が適用されるまではシール（０２１）を閉位置で維持するためにシール（０２１）に沿うように配設される（図１０Ｄを参照）。保持機構は、反転時にシール（０２１）に対する流体の力によりシール（０２１）が開けられることがないように十分に堅固に定位置でシール（０２１）を保持しなければならないが、第２の力に反応して開くのを不都合に阻害しないくらいに十分に弱いものであり、つまり、（磁気機構（０３１）の場合では）シール（０２１）の浮力に打ち勝つことがない。このような実施形態では、バルブを開構成で維持するために第２の力がアクチュエータ上で維持されることが必要ない。正確には、浮揚性の力で十分である。
【００７１】
他の実施例では、バルブがチェックバルブであり、第１の力がアクチュエータによりバルブに作用する流体圧力であり、流体圧力がバルブを開ける。流体圧力が閾値未満まで低下すると、バルブが再び閉じる。チェックバルブの例には、ダックビルバルブ、ボールチェックバルブ、および、スイングチェックバルブなどが含まれる。
【００７２】
ボールチェックバルブは、流れを遮断するための可動部品である閉鎖部材が球形のボールであるような、チェックバルブである。実施例では、ばね式のボールチェックバルブが使用される。ばねが、流体圧力を増大させることなく流体流れを防止するためにボールをしっかりと保持するために張力を受ける。アクチュエータが第１のチャンバ内の流体圧力を増大させるように適合され、それによりばねに対してボールを押し込む。流体圧力がばねによって加えられる圧力を超えると、ボールが下方へ移動してチャンネルを作り、そのチャンネルを通って流体が第２のチャンバ内まで流れる。流体圧力がばねによって加えられる圧力未満まで低下すると、ばねの力がボールを閉位置へと戻すように押す。図６に示されるバルブはボールチェックバルブ配列で使用され得るが、ここでは、シールを開位置まで移動させるようなアクチュエータとシールとの間の物理的接触の代わりに、流体がシールに対して第１の力を作用させてそれによりシールを開位置まで移動させる、という点が異なる。反対の流れまたは重力がボールをシートの方に移動させてシールを作るような形でボールが配列される場合、ばねを有さないデザインも可能である。ボールチェックバルブのメインシートの内部表面は、反対の流れを止める場合にはボールをシートまで誘導してポジティブシールを形成するような、程度の差はあるが、円錐テーパ状である。
【００７３】
スイングチェックバルブまたは傾斜ディスクチェックバルブは、流れを遮断するための可動部品であるディスクが、反対の流れを遮断するためにシート上まで、または、前方への流れを可能にするためにシートから離れるように、ヒンジまたはトラニオン上で旋回する。シート開口部の断面が２つのポートの間の中心線に対して垂直であるかまたは一定の角度を有することができる。この機構の一例はクラッパバルブであり、ここでは、ヒンジ付きのゲートが流入方向にのみ開いた状態を維持する。クラッパバルブは、しばしば、前方への圧力がない場合にゲートを閉鎖した状態で維持するばねをさらに有する。図８に示されるバルブはスイングチェックバルブ配列で使用され得るが、ここでは、シールを開位
置まで移動させるようなアクチュエータとシールとの間の物理的接触の代わりに、流体がシールに対して第１の力を作用させてそれによりシールを開位置まで移動させる、という点が異なる。
【００７４】
ダックビルバルブは、通常、エラストマ材料（ゴムまたは合成エラストマなど）から製造され、流体流れのためのチャンネル上に嵌合されるための開端部と、端部のところにスリットを備える平らなもう一方の端部と、を備える（アヒルのくちばしに非常によく似ている）。流体がバルブを通して開端部から平らな端部まで圧送されると、平らな端部が開き、加圧流体を通過させるのを可能にする。しかし、圧力が取り除かれると、ダックビル端部がその平らな形状に戻り、逆流を防止する。バルブの開端部は、通常、供給ラインの第１のチャンバ出口と第２のチャンバ出口とを接続するチャンネル上で広げられ、ここでは、開端部が第１のチャンバの方を向いており、平らな端部が第２のチャンバの方を向く。したがって、加圧流体が第１のチャンバからバルブを通って第２のチャンバまで流れることができるが、反対方向には流れることができない。
【００７５】
チェックバルブを使用する実施形態では、アクチュエータが第１のチャンバ内の流体圧力を増大させるように配列され、それによりチェックバルブを開ける。１つの具体的な配列は、シリンジ内で使用されるものに類似するプランジャである。プランジャが第１のチャンバ内に摩擦嵌合され、その結果、流体がプランジャを通って流れることができなくなる。プランジャが押し下げられると、流体がバルブの方に押され、バルブを開けるまで圧力が増大する。流体がバルブを通って流れるときに圧力が緩和されることから、十分な流体が第２のチャンバ内に流れ出るまでプランジャ上で圧力を維持しなければならない。流体が流れ出ると、プランジャから単純に圧力が解放され得、閾値未満まで低下する流体圧力によりバルブが閉じる。
【００７６】
ばねを使用しないボールチェックバルブ配列では、通常、予め充填されるキャップ内に主シールが設けられる。この場合のアクチュエータは、バルブ内へとおよびバルブを通るように流体が流れるのを可能にするために、単に、主シールを解放することを必要とする（しかし、流体を加圧することが有効である可能性もある）。次いで、倒れるかまたは反転するようになるまでバルブが開位置に留まり、ここでは、流体流れおよび／または重力の力がボールを閉位置まで運ぶ。
Ｂ．  アクチュエータ
アクチュエータは、通常、結果として以下のようになるように配列される：アクチュエータに対して第２の力が適用されることでアクチュエータがバルブに第１の力を適用するようになり、また、バルブを開位置で保持するために第２の力を維持することが必要であり、その結果、第２の力が取り除かれることでバルブが閉位置に自動で復帰するようになる。これを達成するための１つの手法は、第２の力の反対に作用するように構成されるアクチュエータを弾性機構に接触させて配置することである。弾性機構の非限定の例には：コイルばね、平ばね、機械式ばね、板ばね、サーペンタインスプリング、ガススプリング、ネゲータばね、片持ちばね、Ｖばね、皿ばね、ウェーブスプリング、定荷重ばね、非線形特性コイルばね、などのばね（引張ばね、圧縮ばね、および、ねじりばね、を含む）；弾性バンド（ゴムバンド、および、弾性重合体のバンド、など）；ならびに、磁気機構、などが含まれる。弾性機構は結果として以下のようになるように位置決めされる：アクチュエータが移動してバルブに対して第１の力を適用するとき、アクチュエータが弾性機構を、移動させるか、捻じるか、曲げるか、圧縮するか、または、広げ、それにより弾性機構内に復元力を生じさせる。復元力は、概して、アクチュエータに適用される第２の力の概して反対に加えられ、その結果、第２の力がアクチュエータに適用される状態を維持する限りにおいて、アクチュエータがバルブを開位置で保持し続けることになる。しかし、第２の力が取り除かれると、復元力がアクチュエータによりバルブに対しての第１の力を解放させる（バルブから離れるように移動することなどによる）。加えて、アクチュエータは、使用者によって開始されるようなアクチュエータに対しての第２の力の適用を可能にする容器の外部の機構に機械的に接続され、ここでは、組み立てられた容器の中身に対して使用者を曝す必要がない。単純な一実施形態では、ボタンが容器上に配設され、これが、使用者によって押し下げられるときにアクチュエータに対して第２の力を適用するように、配列される。
ＩＩ．  キャップおよび試料収集容器
上述のバルブ組立体は、特には、固定剤溶液で予め充填されるキャップと、試料移送容器とを備える試料移送システムで使用されるように適合される。
【００７７】
予め充填されるキャップは、通常、下側チャンバ内へ排液される準備が整うまでキャップ内で固定剤溶液を保持するための主シールを含む。いくつかの事例では、バルブ組立体が主シールとして機能することができる。他の事例では、別個の主シールが設けられてよく、これが、計量分配される準備が整うまで固定剤溶液をバルブから隔離するように機能する。
【００７８】
分析のための生体試料（特には、組織試料）を保持するのに適する任意の容器が試料移送容器として使用され得る。いくつかの実施形態では、第２のチャンバが、組織カセットなどの、生体試料を保持するための装置をさらに備える。
【００７９】
キャップおよび容器が、それらのそれぞれのチャンバを分離するバルブ組立体を一体に嵌合されるようにさらに適合される。種々の構成要素間の嵌合は、バルブが開構成ではない限りは流体が構成要素間でまたは組み立てられた容器から出るように漏洩することがないように十分にぴったりとなるべきである。好適には、組立体はガス排出の危険がなく、つまり、完全に組み立てられている場合は固定剤流体のガスを放出しない。一体に３つの構成要素が嵌合され得るような任意の配列が使用され得る。一実施例では、バルブ組立体が、キャップおよび容器の各々のねじ山に嵌合されるねじ山を含む。この配列では、バルブ組立体上のねじ山が組立体全体を一体に固定することから、キャップおよび容器が互いに直接に接触する必要がない。他の実施形態では、キャップまたは容器が、バルブ組立体および残りの構成要素の両方を受け入れるためのねじ山を含む。例えば、キャップが、バルブ組立体に嵌合される雌ねじと、容器を受け入れるための雄ねじとを備えることができる。別法として、容器が、バルブ組立体を受け入れるための雌ねじと、キャップを受け入れるための雄ねじとを含むことができる。別の配列では、キャップおよび容器が、各々、ねじ嵌合を介して互いに嵌合されてもよく、また、バルブ組立体を定位置で固定するための内部隆起部を含むこともできる。当業者であれば多くの他の配列がすぐに思い付くであろう。
【００８０】
キャップまたは容器のいずれかが、組み立てられた容器の中身に接触することなく使用者がアクチュエータを起動するのを可能にするユーザインタラクションデバイス（ｕｓｅｒ  ｉｎｔｅｒａｃｔｉｏｎ  ｄｅｖｉｃｅ）をさらに含む。例えば、ボタンまたはレバーがキャップまたは容器の内部で実質的に剛体である部材に接触され得、その結果、ボタンまたはレバーが起動されるときに剛体部材がアクチュエータに対して第２の力を適用するようになる。別法として、アクチュエータがキャップまたは容器の外側を延在してもよく、その結果、使用者がアクチュエータに対して第２の力を直接に適用することができる。実施例では、キャップおよびアクチュエータがシリンジプランジャの様に相互作用し、ここでは、アクチュエータが、キャップ内で液体不透過の摩擦嵌合となるように配設される。当業者であれば多くの他の配列がすぐに思い付くであろう。
ＩＩＩ．  特定の実施例
次に図１１〜２１を参照すると、本発明の特定の実施形態が示されている。以下は、本明細書で参照される特定の要素に対応する要素のリストである：
１００  バルブ組立体
１０１  試料
１０５  流体
１１０  試料収集容器
１２０  バルブアクチュエータ屈曲部
１２１  外側フレーム
１２２  支持体構造
１２３  支持体上面
１２４  支持体底面
１２５  複数のアーム
１２６  アンカー
１２７  複数のばね
１２８  第１の端部
１２９  第２の端部
１３０  バルブハウジング
１３１  ベース
１３２  側壁
１３３  複数の排液アパーチャ
１３４  複数のアームアパーチャ
１３５  ステム開口部
１３６  ベース底面
１３７  チャンネル
１４０  バルブ
１４１  バルブ上面
１４２  バルブ底面
１４３  バルブステム
１４４  球根状のステム端部
２００  プランジャ
３０１  フレームロックタブ
３０２  ハウジングロックタブ
４００  空気チャンネル
５００  予め充填されるキャップ
５０５  シール
この非限定の実施形態は、流体（１０５）中の試料（１０１）を保存するための試料収集システムを特徴とする。図１１がバルブ組立体の基本的な要素を示す。バルブ組立体（１００）が、バルブアクチュエータ屈曲部（１２０）と、バルブ（１４０）とを備える。バルブアクチュエータ屈曲部（１２０）が、外側フレーム（１２１）と、支持体構造（１２２）と、少なくとも１つのばね（１２７）とを備える。支持体構造（１２２）が、支持体上面（１２３）と、支持体底面（１２４）と、少なくとも１つのアーム（１２５）とを備えることができる。アーム（１２５）が支持体底面（１２４）上に配設され得、支持体構造（１２２）から離れるように外側に突出してよい。いくつかの実施形態では、ばね（１２７）が第１の端部（１２８）および第２の端部（１２９）を備える。ばね（１２７）の第１の端部（１２８）が外側フレーム（１２１）に取り付けられ得、ばね（１２７）の第２の端部（１２９）が支持体構造（１２２）に取り付けられ得る。
【００８１】
図１２がバルブ組立体の構成要素の詳細図を提供する。ベース（１３１）と、側壁（１３２）と、少なくとも１つの排液アパーチャ（１３３）と、少なくとも１つのアームアパーチャ（１３４）と、ステム開口部（１３５）と、を備えるバルブハウジング（１３０）が提供される。排液アパーチャ（１３３）、アームアパーチャ（１３４）およびステム開口部（１３５）が、ベース（１３１）上に配設され得る。バルブ（１４０）が、バルブ上面（１４２）およびバルブ底面（１４１）、ならびに、バルブステム（１４４）を備える
。バルブステム（１４４）がステム開口部（１３５）内に挿入され、ベース（１３１）の底側でバルブ（１４０）を定位置で保持し、ここでは、上面（１４２）がベース（１３１）の底面に接触して保持される。バルブ（１４０）がバルブアクチュエータ屈曲部（１２０）の下方に配設され、その結果、バルブ上面（１４１）がベース底面（１３６）に接触し、また、バルブアクチュエータ屈曲部（１２０）がバルブハウジング（１３０）内に配設され、ここでは、支持体上面（１２３）がバルブ（１４０）から離れる方を向き、４つのアーム（１２５）がバルブ上面（１４１）に向かって突出してアームアパーチャ（１３４）を越えるかまたは通過する。フレームロックタブ（３０１）がハウジングロックタブ（３０２）の間に嵌合され、それにより、バルブハウジング（１３０）内でバルブアクチュエータ屈曲部（１２０）が移動（つまり、回転）するのを防止する。バルブ（１４０）が固有の弾性を有する材料で構築され、その結果、バブル（１４０）の外側縁部に力が適用される場合にバルブが曲がるようになるが、力が取り除かれるとその元の形状に戻るようになる。図１３に示されるように、バルブアクチュエータ屈曲部が非圧縮構成（上側の図）から圧縮構成（下側の図）へと移動することができる。
【００８２】
動作中、第２の力が支持体構造上面（１２３）に適用され、支持体構造（１２２）を下方に押す。アーム（１２５）がアームアパーチャ（１３４）を通って移動し、アーム（１２５）をバルブ（１４０）の上面に接触させて第１の力を適用する。第１の力がバルブ（１４０）をベース（１３１）の底面から離れるように屈曲させ、それによりベース（１３１）とバルブ（１４０）との間にチャンネル（１３７）を作り、それにより流体が１つまたは複数の排液アパーチャ（１３３）を通って流れることが可能となる。また、支持体構造（１２２）が移動することでばね（１２７）が圧縮される。第２の力を解放するとばね（１２８）が少なくとも部分的に緩み、それによりアーム（１２５）を押してバルブ（１４０）から離れるように移動させ、それにより第１の力を解放する。バルブ（１４０）の固有の弾性がバルブをその元の構成に戻してベース（１３１）の底縁部に接触させ、それにより排液アパーチャ（１３３）を再び密閉する。
【００８３】
図１４〜１７は、バルブが閉構成（図１４および１７Ａ）および開構成（図１５および１７Ｂ）にある状態の、組み立てられたキャリアの断面図である。見られるように、バルブ組立体（１００）が、予め充填されたキャップ（５００）と試料収集容器（１１０）との間に配設される。バルブが、予め充填されたキャップ（５００）の底端部または試料収集容器（１１０）の頂部端部に、あるいはその両方に、嵌合されるように適合され得る。嵌合の例には、ねじ嵌合、保持クリップ、摩擦嵌合、または、スプリングボールリテーナなどが含まれる。使用される嵌合に関係なく、バルブは組み立てられた容器内に以下のように嵌合されるべきである：容器を保持する向きに関係なく、バルブ組立体を通ることを除いて、流体がキャップから容器までおよびその逆で流れることができるような隙間が実質的に存在しない。予め充填されるキャップが、頂部側に可撓性ボタン機構（５０２）を有することができる。プランジャ機構（２００）が予め充填されたキャップ（５００）内に配設され、ここでは、一方の端部が可撓性ボタン機構（５０２）の近くにあり、支持体上面（１２３）に近接する側で、もう一方の端部がバルブ組立体（１００）の近くにある。図１６は、プランジャ（２００）および支持体上面（１２３）の配列を示す上側から見た断面図である。見られるように、プランジャ（２００）が、流体流れを実質的に阻害しないが支持体上面（１２３）との実質的に剛体的な相互作用を実現するように、設計される。図１５および１７Ｂに示されるように、可撓性ボタン機構（５０２）が押し下げられることでプランジャ（２００）が下方に押し動かされる。アーム（１２５）がアームアパーチャ（１３４）を通って移動してバルブ（１４０）の外側縁部を押し下げ、それにより縁部をベース（１３１）の底縁部から離すように押し動かし、それによりチャンネル（１３７）を作り、このチャンネル（１３７）を通って流体が排液アパーチャ（１３３）を介してバルブ（１４０）を通過して流れることができる（図１７Ｂを参照）。可撓性ボタン機構（５０２）が解放されると、ばね（１２８）が支持体上面（１２３）をバルブ（１４０）から離すように押し動かし、ここでは、アーム（１２５）がバルブ上面（１４１）を押圧しておらず、バルブ（１４０）が屈曲して閉構成（図１４よび１７Ａを参照）に戻る。
【００８４】
一実施形態では、例示のバルブ組立体（１００）が独立する空気チャンネル（４００）を含み、これが、キャップと試料収集との間での空気の移し替えを可能にする。図１８〜２１に示されるように、最初に、バルブが開くときに、キャップからの流体が試料収集容器内の空気を変位させる。キャップ内の流体に対しての重力の圧力が大気圧を超える限りにおいて、ベース内の同じアパーチャを通して空気／液体の移し替えが行われ得る。しかし、圧力が平衡状態になると、流体の移し替えがそれ以上は進行しない。したがって、キャップから試料収集容器へ流体を完全に排液するために、ベース（１３１）の全体を通る専用の空気移し替えチャンネル（４００）を設けることが望ましい。
【００８５】
図１８は、閉構成（図１８Ａ）、直立時の開構成（図１８Ｂ）、および、傾斜時の開構成（図１８Ｃ）の、組立体の概略図である。図１９は、開構成（図１９Ａ）、および、傾斜時の開構成（図１８Ｃ）の、バルブ組立体（１００）の拡大図である。複数の空気チャンネル（４００）がベース（１３１）の周囲部を横断するように配設され、対して、排液アパーチャ（１３３）がベース（１３１）の中心に向かうように配設される（図１２も参照されたい）。液面が高いと、重力下で流体が空気チャンネル（４００）を通って流れることができる（図２０Ａ〜２０Ｃ）。しかし、液面が低下して流体圧力が大気圧に接近すると、空気チャンネル（４００）が流体を有さないチャンネルを形成し、排液アパーチャ（１３３）を通って流れる流体と引き換えに、この流体を有さないチャンネルを通って、空気が試料収集容器（１１０）からキャップ（５００）まで流れることができる（図２１Ａ）。このようにして、容器が充填されるようになるか、キャップが完全に排液されるようになるか、または、バルブが移動させられて閉位置に戻るようになるか、のいずれかまで、流体が継続的に試料収集容器内へ流れ出る。さらに、複数の空気チャンネル（４００）が設けられ、したがって、傾斜することの結果として空気チャンネル（４００）のうちの１つの空気チャンネルが遮断される場合でも継続して流体の移し替えを可能にする（図２１Ｂを参照）。
【００８６】
図２２が代替的実施形態を示し、ここでは、アクチュエータが作動することでバルブが平行移動する。この実施形態では、バルブが支持体構造（１２２）またはプランジャ（２００）に直接に接続され、その結果、プランジャボタン（５０２）を押し動かすことで、バルブ（４００）全体がベース（１３１）から離れるように押し動かされて開構成となる。図２２Ａが、プランジャ（２００）の下方にばね（１２７）が配設され、バルブが支持体構造に接続されるような、実施形態を示す。図２２Ｂがばね（１２７）がプランジャに取り付けられる実施形態を示しており、ばね（１２７）がプランジャに直接に接続される。図２２Ｃが代替のプランジャ形状を有する２２Ｂの実施形態を示す。
【００８７】
図２３が代替的実施形態を示しており、ここでは、外側フレームに取り付けられるばね機構（１２７）の代わりに、ばね機構（１２７）が支持体構造（１２２）の下方に配設される。
【００８８】
本明細書で使用される「約」という用語は、記載される数値のプラスまたはマイナス１０％を意味する。
本発明のさらなる実施形態には以下のものが含まれる：
１．流体（１０５）中の試料（１０１）を保存する方法であって、上記方法が
ａ．試料収集容器（１１０）を提供するステップと、
ｂ．試料収集容器（１１０）からの流体（１０５）の逆流を防止するためのバルブ組立体（１００）を提供するステップであって、上記組立体（１００）が、
ｉ．バルブアクチュエータ屈曲部（１２０）であって、このバルブアクチュエータ屈曲部（１２０）が、
外側フレーム（１２１）、
支持体上面（１２３）と、支持体底面（１２４）と、少なくとも１つのアーム（１２５）と、を備える支持体構造（１２２）であって、アーム（１２５）が支持体底面（１２４）上に配設され、アーム（１２５）が支持体構造（１２２）から離れるように外側に突出する、支持体構造（１２２）、および、
少なくとも１つのばね（１２７）であって、ばね（１２７）が第１の端部（１２８）および第２の端部（１２９）を備え、ばね（１２７）の第１の端部（１２８）が外側フレーム（１２１）に取り付けられ、ばね（１２７）の第２の端部（１２９）が支持体構造（１２２）に取り付けられる、少なくとも１つのばね（１２７）
を備える、バルブアクチュエータ屈曲部（１２０）、
ｉｉ．ベース（１３１）と、側壁（１３２）と、少なくとも１つの排液アパーチャ（１３３）と、少なくとも１つのアームアパーチャ（１３４）と、ステム開口部（１３５）と、を備えるバルブハウジング（１３０）であって、排液アパーチャ（１３３）、アームアパーチャ（１３４）およびステム開口部（１３５）が、ベース（１３１）上に配設される、バルブハウジング（１３０）、ならびに、
ｉｉｉ．バルブ上面（１４１）と、バルブ底面（１４２）と、バルブ上面（１４１）上に配設されるバルブステム（１４３）と、を備えるバルブ（１４０）であって、バルブステム（１４３）が、バルブステム端部のところに配設されるストッパ（１４４）を有し、バルブ（１４０）が、ステム開口部（１３５）を通して挿入されるストッパ（１４４）を介してバルブハウジング（１３０）に固着され、ベース（１３１）がバルブアクチュエータ屈曲部（１２０）とバルブ（１４０）との間に位置決めされる、バルブ（１４０）
を備える、ステップと、
ｃ．試料収集容器（１１０）の内部に試料（１０１）を配置するステップと、
ｄ．バルブ組立体（１００）を用いて試料収集容器（１１０）を覆うステップであって、その結果、バルブ（１４０）が試料収集容器（１１０）の内部に配設される、ステップと、
ｅ．キャップ（５００）を提供するステップであって、プランジャ（２００）および流体（１０５）がキャップ（５００）内に含まれ、主シール（５０５）がキャップ（５００）の内部でプランジャ（２００）および流体（１０５）を密閉する、ステップと、
ｆ．バルブ組立体（１００）にキャップ（５００）を取り付けるステップであって、その結果、バルブアクチュエータ屈曲部（１２０）がベース（１３１）とキャップ（５００）との間に位置決めされる、ステップと、
ｇ．プランジャ（２００）を押し下げて主シール（５０５）を破損し、支持体構造（１２２）の支持体上面（１２３）を押し動かしてばね（１２７）を圧縮することにより、容器（１１０）内へと流体（１０５）を解放するステップであって、アーム（１２５）がアームアパーチャ（１３４）を通過してバルブ上面（１４１）を押し動かし、バルブ（１４０）が屈曲し、その結果、バルブ上面（１４１）がベース底面（１３６）から離れるように押し動かされ、流体（１０５）が破損したシール（１０５）から流れ出て排液アパーチャ（１３３）を通って試料収集容器（１１０）に入り、流体（１０５）が試料収集容器（１１０）内の試料（１０１）に接触する、ステップと、
を含む。
２．実施形態１の方法であって、バルブハウジング（１３０）が、試料収集容器（１１０）のためのキャップである。
３．実施形態１の方法であって、流体（１０５）が保存剤である。
４．実施形態１の方法であって、流体（１０５）がホルマリンである。
５．実施形態１の方法であって、バルブアクチュエータ屈曲部（１２０）が可撓性材料から構築される。
６．実施形態１の方法であって、バルブアクチュエータ屈曲部（１２０）がエラストマ材
料から構築される。
７．実施形態１の方法であって、バルブアクチュエータ屈曲部（１２０）の外側フレーム（１２１）が概略リング形状である。
８．実施形態１の方法であって、外側フレーム（１２１）が少なくとも１つのフレームロックタブ（３０１）をさらに備え、バルブハウジング（１３０）がフレームロックタブ（３０１）に対して相補的である少なくとも１つのハウジングロックタブ（３０２）を備え、フレームロックタブ（３０１）およびハウジングロックタブ（３０２）がバルブアクチュエータ屈曲部（１２０）がバルブハウジング（１３０）内で回転するのを防止する。
９．実施形態１の方法であって、複数の空気チャンネル（４００）がバルブハウジング（１３０）の側壁（１３２）上に配設される。
１０．実施形態１の方法であって、試料（１０１）が、血液、尿、組織物質、または、粘液である。
１１．実施形態１の方法であって、試料（１０１）がカセット内に配置され、カセットが試料収集容器（１１０）内に配置される。
１２．実施形態１の方法であって、バルブアクチュエータ屈曲部（１２０）の外側フレーム（１２１）の形状が多角形である。
１３．実施形態１の方法であって、バルブ（１４０）が、アンブレラバルブ、ダックビルバルブおよびチェックバルブ、からなる群から選択される。
１４．実施形態１の方法であって、バルブ（１４０）が概略ディスク形状である。
１５．実施形態１の方法であって、試料収集容器（１１０）が握持構成要素を有する。
１６．実施形態１５の方法であって、握持構成要素が窪み部分である。
１７．実施形態１５の方法であって、握持構成要素が突出部である。
１８．実施形態１５の方法であって、握持構成要素が試料収集容器（１１０）の外部表面上に配設される。
１９．実施形態１５の方法であって、握持構成要素が刻み目を有する表面を備える。
２０．実施形態１９の方法であって、刻み目を有する表面が、環状リングパターン、直線の刻み目パターン、または、ひし形の刻み目パターンを有する。
２１．実施形態１の方法であって、試料を提供するステップが、
ａ．体腔内に試料採取デバイスを挿入するステップと、
ｂ．試料採取デバイスを用いて体腔から試料を収集するステップであって、試料が試料採取デバイスの試料収集部分によって収集される、ステップと、
ｃ．試料採取デバイスを体腔から取り出すステップと、
を含む。
２２．実施形態２１の方法であって、試料収集容器（１１０）の内部に試料（１０１）を配置するステップが、試料を有する試料収集部分を容器（１１０）内に挿入するステップと、試料収集部分を試料採取デバイスから分離するステップと、を含む。
２３．試料を処理するための方法であって、上記方法が、
ａ．試料収集容器（１１０）を提供するステップと、
ｂ．試料収集容器（１１０）からの流体（１０５）の逆流を防止するためのバルブ組立体（１００）を提供するステップであって、上記組立体（１００）が、
ｉ．バルブアクチュエータ屈曲部（１２０）であって、このバルブアクチュエータ屈曲部（１２０）が、
外側フレーム（１２１）、
支持体上面（１２３）と、支持体底面（１２４）と、少なくとも１つのアーム（１２５）と、を備える支持体構造（１２２）であって、アーム（１２５）が支持体底面（１２４）上に配設され、アーム（１２５）が支持体構造（１２２）から離れるように外側に突出する、支持体構造（１２２）、および、
少なくとも１つのばね（１２７）であって、ばね（１２７）が第１の端部（１２８）および第２の端部（１２９）を備え、ばね（１２７）の第１の端部（１２８）が外側フレーム（１２１）に取り付けられ、ばね（１２７）の第２の端部（１２９）が支持体
構造（１２２）に取り付けられる、少なくとも１つのばね（１２７）
を備える、バルブアクチュエータ屈曲部（１２０）、
ｉｉ．ベース（１３１）と、側壁（１３２）と、少なくとも１つの排液アパーチャ（１３３）と、少なくとも１つのアームアパーチャ（１３４）と、ステム開口部（１３５）と、を備えるバルブハウジング（１３０）であって、排液アパーチャ（１３３）、アームアパーチャ（１３４）およびステム開口部（１３５）が、ベース（１３１）上に配設される、バルブハウジング（１３０）、ならびに、
ｉｉｉ．バルブ上面（１４１）と、バルブ底面（１４２）と、バルブ上面（１４１）上に配設されるバルブステム（１４３）と、を備えるバルブ（１４０）であって、バルブステム（１４３）が、バルブステム端部のところに配設されるストッパ（１４４）を有し、バルブ（１４０）が、ステム開口部（１３５）を通して挿入されるストッパ（１４４）を介してバルブハウジング（１３０）に固着され、ベース（１３１）がバルブアクチュエータ屈曲部（１２０）とバルブ（１４０）との間に位置決めされる、バルブ（１４０）
を備える、ステップと、
ｃ．試料収集容器（１１０）の内部に試料（１０１）を配置するステップと、
ｄ．バルブ組立体（１００）を用いて試料収集容器（１１０）を覆うステップであって、その結果、バルブ（１４０）が試料収集容器（１１０）の内部に配設される、ステップと、
ｅ．キャップ（５００）を提供するステップであって、プランジャ（２００）および流体（１０５）がキャップ（５００）内に含まれ、主シール（５０５）がキャップ（５００）の内部でプランジャ（２００）および流体（１０５）を密閉する、ステップと、
ｆ．バルブ組立体（１００）にキャップ（５００）を取り付けるステップであって、その結果、バルブアクチュエータ屈曲部（１２０）がベース（１３１）とキャップ（５００）との間に位置決めされる、ステップと、
ｇ．プランジャ（２００）を押し下げて主シール（５０５）を破損し、支持体構造（１２２）の支持体上面（１２３）を押し動かしてばね（１２７）を圧縮することにより、容器（１１０）内へと流体（１０５）を解放するステップであって、アーム（１２５）がアームアパーチャ（１３４）を通過してバルブ上面（１４１）を押し動かし、バルブ（１４０）が屈曲し、その結果、バルブ上面（１４１）がベース底面（１３６）から離れるように押し動かされ、流体（１０５）が破損したシール（１０５）から流れ出て排液アパーチャ（１３３）を通って試料収集容器（１１０）に入る、ステップと、
ｈ．試料収集容器（１１０）内に含まれる試料（１１０）に流体（１０５）を接触させるステップと、
ｉ．キャリア組立体の保持壁内に試料収集容器（１１０）を配置するステップと、
ｊ．キャリア組立体を移送組立体内に配置するステップと、
ｋ．第１のロケーションから第２のロケーションまで移送組立体を移送するステップとを含む。
２４．実施形態２１の方法であって、流体（１０５）の平均温度が最大で約５℃である。２５．実施形態２３の方法であって、キャリア組立体が少なくとも１つのデータロギングデバイスをさらに備える。
２６．実施形態２５の方法であって、キャリア組立体のデータロガーデバイス内で、試料（１０１）に関連する時間情報および温度情報を検出および保管するステップをさらに含む。
２７．実施形態２６の方法であって、時間情報および温度情報を検出するステップが、
ａ．流体（１０５）または試料（１０１）の温度を測定するステップと、
ｂ．流体（１０５）が試料（１０１）に接触するときの接触時間を測定するステップと、
ｃ．温度・接触時間の測定値を保管するステップと
を含む。
２８．実施形態２６の方法であって、移送組立体が第１のロケーションから第２のロケー
ションまで移送される間、試料（１０１）に関連する時間・温度情報が検出される。
２９．流体（１０５）中の試料（１０１）を処理するための試料収集システムであって、上記システムが、
ａ．試料収集容器（１１０）であって、握持構成要素が試料収集容器（１１０）上に配設される、試料収集容器（１１０）と、
ｂ．試料収集容器（１１０）からの流体（１０５）の逆流を防止するためのバルブ組立体（１００）であって、上記バルブ組立体（１００）が、
ｉ．バルブアクチュエータ屈曲部（１２０）であって、このバルブアクチュエータ屈曲部（１２０）が、
外側フレーム（１２１）、
支持体上面（１２３）と、支持体底面（１２４）と、少なくとも１つのアーム（１２５）と、を備える支持体構造（１２２）であって、アーム（１２５）が支持体底面（１２４）上に配設され、アーム（１２５）が支持体構造（１２２）から離れるように外側に突出する、支持体構造（１２２）、および、
少なくとも１つのばね（１２７）であって、ばね（１２７）が第１の端部（１２８）および第２の端部（１２９）を備え、ばね（１２７）の第１の端部（１２８）が外側フレーム（１２１）に取り付けられ、ばね（１２７）の第２の端部（１２９）が支持体構造（１２２）に取り付けられる、少なくとも１つのばね（１２７）
を備える、バルブアクチュエータ屈曲部（１２０）、
ｉｉ．ベース（１３１）と、側壁（１３２）と、少なくとも１つの排液アパーチャ（１３３）と、少なくとも１つのアームアパーチャ（１３４）と、ステム開口部（１３５）と、を備えるバルブハウジング（１３０）であって、排液アパーチャ（１３３）、アームアパーチャ（１３４）およびステム開口部（１３５）が、ベース（１３１）上に配設される、バルブハウジング（１３０）、ならびに、
ｉｉｉ．バルブ上面（１４１）と、バルブ底面（１４２）と、を備えるバルブ（１４０）であって、バルブ（１４０）がバルブアクチュエータ屈曲部（１２０）の下方に配設され、その結果、外側フレーム（１２１）が支持体構造（１２２）とバルブ（１４０）との間に位置決めされる、バルブ（１４０）
を備える、バルブ組立体（１００）と
を備え、
バルブ組立体（１００）が試料収集容器（１１０）を覆い、バルブ（１４０）が試料収集容器（１１０）の内部に配設される。
３０．プランジャ（２００）と、シール（５０５）と、キャップ（５００）内に含まれる流体（１０５）と、を有するキャップ（５００）をさらに備える、実施形態２９の試料収集システムであって、主シール（５０５）がキャップ（５００）の内部でプランジャ（２００）および流体（１０５）を密閉し、プランジャ（２００）が支持体上面（１２３）上に押圧されると、組立体（１００）が第１の位置から第２の位置まで移動させられ、組立体（１００）が第２の位置にあるとき、ばね（１２７）が圧縮され、アーム（１２５）がバルブ上面（１４１）を押し動かし、バルブ（１４０）が屈曲し、その結果、流体（１０５）が排液アパーチャ（１３３）を通って流れて、容器（１０）内に配設される試料（１０１）に接触する。
３１．実施形態３０の試料収集システムであって、試料収集システムが、
ａ．試料収集容器（１０１）を留保または保持するように構成されるキャリア組立体と、
ｂ．容器（１１０）がキャリア組立体内に配置されてラボラトリに移送されるときに容器（１１０）内の試料（１０１）または流体（１０５）に関する時間情報および温度情報の一方または両方を、取得、保管または伝送するように構成される、データロギングデバイスおよび少なくとも１つのセンサ、を備える監視システムと
をさらに備える。
３２．実施形態３０の試料収集システムであって、握持構成要素が試料収集容器（１１０
）の外部表面上に配設される。
３３．実施形態３２の試料収集システムであって、握持構成要素が窪み部分を備え、キャリア組立体が突出部を備え、窪み部分および突出部がキャリア組立体内で試料収集容器（１１０）を対合的にロックし、それにより試料収集容器（１１０）が変位するのを防止する。
３４．実施形態３２の試料収集システムであって、握持構成要素が突出部を備え、キャリア組立体が窪み部分を備え、突出部および窪み部分がキャリア組立体内で試料収集容器（１１０）を対合的にロックし、それにより試料収集容器（１１０）が変位するのを防止する。
３５．実施形態３２の試料収集システムであって、握持構成要素が刻み目を有する表面を備える。
３６．実施形態３５の試料収集システムであって、刻み目を有する表面が、環状リングパターン、直線の刻み目パターン、または、ひし形の刻み目パターンを有する。
３７．実施形態２９の試料収集システムであって、試料収集容器（１１０）が温度センサをさらに備え、このセンサが、中に含まれる流体（１０５）の温度を監視システムに伝送する。
３８．実施形態２９の試料収集システムであって、試料収集容器（１１０）が無線周波数識別（ＲＦＩＤ）タグをさらに備え、監視システムがＲＦＩＤリーダをさらに備える。
３９．試料収集容器と、キャリア組立体と、監視システムとを移送するための内部保持コンパートメントを備える移送容器をさらに備える、実施形態２９の試料収集システムであって、移送容器が、少なくとも１時間にわたって、内部保持チャンバの温度を約０℃から約２０℃の温度で維持するように構成される。
４０．実施形態２９の試料収集システムであって、組立体（１００）が第１の位置にあるとき、ばね（１２７）が緩み状態である。
４１．実施形態２９の試料収集システムであって、バルブ（１４０）が、球根状のステム端部（１４４）を有するバルブステム（１４３）をさらに備え、バルブステム（１４３）がバルブ上面（１４１）上に配設される。
４２．実施形態４１の試料収集システムであって、バルブ（１４０）が球根状のステム端部（１４４）を介してバルブハウジング（１３０）に取り付けられ、球根状のステム端部（１４４）がバルブハウジング（１３０）に対してバルブステム（１４３）を固着する。４３．実施形態４１の試料収集システムであって、バルブ（１４０）が球根状のステム端部（１４４）を介してバルブアクチュエータ屈曲部（１２０）の支持体構造（１２２）に取り付けられ、球根状のステム端部（１４４）が支持体構造（１２２）に対してバルブステム（１４３）を固着する。
４４．実施形態４１の試料収集システムであって、バルブ（１４０）が球根状のステム端部（１４４）を介してプランジャ（２００）に取り付けられ、球根状のステム端部（１４４）がプランジャ（１２２）に対してバルブステム（１４３）を固着する。
４５．実施形態２９の試料収集システムであって、流体（１０５）がホルマリンである。４６．実施形態２９の試料収集システムであって、試料が試料採取デバイスによって収集されて試料収集容器（１１０）の内部に配置される。
４７．カセットをさらに備える、実施形態２９の試料収集システムであって、試料（１０１）がカセット内に配設され、カセットが試料収集容器（１１０）内に配設される。
４８．実施形態２９の試料収集システムであって、試料（１０１）が、血液、尿、組織または粘液試料である。
４９．実施形態２９の試料収集システムであって、バルブアクチュエータ屈曲部（１２０）が可撓性材料から構築される。
５０．実施形態２９の試料収集システムであって、バルブアクチュエータ屈曲部（１２０）がエラストマ材料から構築される。
５１．実施形態２９の試料収集システムであって、バルブアクチュエータ屈曲部（１２０）の外側フレーム（１２１）が概略リング形状である。
５２．実施形態２９の試料収集システムであって、バルブアクチュエータ屈曲部（１２０）の外側フレーム（１２１）の形状が多角形である。
５３．実施形態２９の試料収集システムであって、バルブ（１４０）が、アンブレラバルブ、ダックビルバルブおよびチェックバルブ、からなる群から選択される。
５４．実施形態２９の試料収集システムであって、バルブ（１４０）が概略ディスク形状である。
【００８９】
上記の説明から、本明細書で説明されるものに加えて、本発明の多様な修正形態が当業者には明らかとなろう。また、このような修正形態は添付の特許請求の範囲の範囲内にあることを意図される。本出願で引用される各参考文献はその全体が参照により本明細書に組み込まれる。
【００９０】
本発明の記述において提示および説明を行ってきたが、それらに対して、添付の特許請求の範囲の範囲を超えないような修正形態が作られ得ることが、当業者には容易に明らかとなろう。したがって、本発明の範囲は以下の特許請求の範囲のみによって限定される。特許請求の範囲に記載される基準の数値は、単に、例示であり、特許局により容易に精査されるようにするためのものであり、一切限定的ではない。いくつかの実施形態では、本特許出願に提示される数字は、角度、寸法の比などを含めて、一定の縮尺で描かれている。いくつかの実施形態では、これらの数字は単に代表的なものであり、特許請求の範囲はこれらの数字の大きさによって限定されない。いくつかの実施形態では、「（備える）ｃｏｍｐｒｉｓｉｎｇ」というフレーズを使用する本明細書で説明される本発明の記述は、「からなる（ｃｏｎｓｉｓｔｉｎｇ  ｏｆ）」として説明され得るような実施形態を含み、したがって、「からなる（ｃｏｎｓｉｓｔｉｎｇ  ｏｆ）」というフレーズを使用して本発明の１つまたは複数の実施形態を主張することにおける記載要件も適合することになる。
【００９１】
上述の実施形態に記載される基準の数値は、単に、本出願の検査を容易にするためのものであり、例示であり、特許請求の範囲の範囲を、図面内に対応する基準の数値を有する特定の特徴のみに限定されることを一切意図されない。
【図１Ａ】
2020190563.tif 000003
【図１Ｂ】
2020190563.tif 000004
【図１Ｃ】
2020190563.tif 000005
【図１Ｄ】
2020190563.tif 000006
【図１Ｅ】
2020190563.tif 000007
【図１Ｆ】
2020190563.tif 000008
【図２Ａ】
2020190563.tif 000009
【図２Ｂ】
2020190563.tif 000010
【図２Ｃ】
2020190563.tif 000011
【図２Ｄ】
2020190563.tif 000012
【図２Ｅ】
2020190563.tif 000013
【図３Ａ】
2020190563.tif 000014
【図３Ｂ】
2020190563.tif 000015
【図３Ｃ】
2020190563.tif 000016
【図４Ａ】
2020190563.tif 000017
【図４Ｂ】
2020190563.tif 000018
【図５Ａ】
2020190563.tif 000019
【図５Ｂ】
2020190563.tif 000020
【図５Ｃ】
2020190563.tif 000021
【図５Ｄ】
2020190563.tif 000022
【図６Ａ】
2020190563.tif 000023
【図６Ｂ】
2020190563.tif 000024
【図６Ｃ】
2020190563.tif 000025
【図６Ｄ】
2020190563.tif 000026
【図７Ａ】
2020190563.tif 000027
【図７Ｂ】
2020190563.tif 000028
【図７Ｃ】
2020190563.tif 000029
【図７Ｄ】
2020190563.tif 000030
【図８Ａ】
2020190563.tif 000031
【図８Ｂ】
2020190563.tif 000032
【図８Ｃ】
2020190563.tif 000033
【図８Ｄ】
2020190563.tif 000034
【図８Ｅ】
2020190563.tif 000035
【図８Ｆ】
2020190563.tif 000036
【図８Ｇ】
2020190563.tif 000037
【図８Ｈ】
2020190563.tif 000038
【図８Ｉ】
2020190563.tif 000039
【図９Ａ】
2020190563.tif 000040
【図９Ｂ】
2020190563.tif 000041
【図９Ｃ】
2020190563.tif 000042
【図１０Ａ】
2020190563.tif 000043
【図１０Ｂ】
2020190563.tif 000044
【図１０Ｃ】
2020190563.tif 000045
【図１０Ｄ】
2020190563.tif 000046
【図１１】
2020190563.tif 000047
【図１２】
2020190563.tif 000048
【図１３Ａ】
2020190563.tif 000049
【図１３Ｂ】
2020190563.tif 000050
【図１４】
2020190563.tif 000051
【図１５】
2020190563.tif 000052
【図１６】
2020190563.tif 000053
【図１７Ａ】
2020190563.tif 000054
【図１７Ｂ】
2020190563.tif 000055
【図１８Ａ】
2020190563.tif 000056
【図１８Ｂ】
2020190563.tif 000057
【図１８Ｃ】
2020190563.tif 000058
【図１９Ａ】
2020190563.tif 000059
【図１９Ｂ】
2020190563.tif 000060
【図２０Ａ】
2020190563.tif 000061
【図２０Ｂ】
2020190563.tif 000062
【図２０Ｃ】
2020190563.tif 000063
【図２１Ａ】
2020190563.tif 000064
【図２１Ｂ】
2020190563.tif 000065
【図２２Ａ】
2020190563.tif 000066
【図２２Ｂ】
2020190563.tif 000067
【図２２Ｃ】
2020190563.tif 000068
【図２３】
2020190563.tif 000069
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
固定剤溶液に浸漬される生体試料を保管および移送するための組立体であって、前記組立体が、
・一定量の固定剤溶液で予め充填される第１のチャンバを備えるキャップと、
・前記生体試料を保持するための第２のチャンバを備える試料容器と、
・前記第１のチャンバと前記第２のチャンバとの間に位置して閉構成と開構成との間で切り替わるように適合されるバルブであって、
・前記バルブが前記開構成であるときに、１つまたは複数のチャンネルが前記第１のチャンバと前記第２のチャンバとの間に形成され、前記第１のチャンバから前記第２のチャンバまで固定剤溶液が流れるのを可能にし、また、引き換えに空気を通気するのを可能にし、
・前記バルブが前記閉構成であるときに、前記バルブが前記第１のチャンバと前記第２のチャンバとの間にバリアを作り、前記バリアが前記第２のチャンバから前記第１のチャンバまで前記固定剤溶液が流れるのを防止し、
・前記バルブが、第１の力の適用時に前記閉構成から前記開構成へと切り替わるように構成され、
・前記バルブが、前記第１の力が取り除かれるときに初期設定の前記閉構成に戻るように構成される、
バルブと、
・非係合位置と係合位置との間で移動可能であるアクチュエータであって、
・前記非係合位置から前記係合位置までの前記アクチュエータの移動が、オペレータによる前記アクチュエータに対しての第２の力の適用を必要とし、
・前記非係合位置から前記係合位置までの前記アクチュエータの移動が、前記バルブに前記第１の力を適用し、
・前記アクチュエータから前記第２の力を取り除くことにより前記バルブから前記第１の力が解放される、
アクチュエータと
を備え、
前記アクチュエータの全体は、前記キャップ内に位置する、組立体。
【請求項２】
前記組立体が、
・前記非係合位置から前記係合位置まで前記アクチュエータが移動させられるときに前記アクチュエータに対して第３の力を適用するように位置決めされる第１の弾性機構であって、その結果、前記第２の力が取り除かれる場合には前記第３の力が前記アクチュエータを前記非係合位置まで自動で戻すようになる、第１の弾性機構
をさらに備える、請求項１に記載の組立体。
【請求項３】
前記非係合位置から前記係合位置までの前記アクチュエータの移動が前記弾性機構を広げ、広がることにより前記弾性機構に導入される張力が、前記アクチュエータに対して前記第３の力を適用する、請求項２に記載の組立体。
【請求項４】
前記非係合位置から前記係合位置までの前記アクチュエータの移動が前記弾性機構を圧縮し、圧縮により前記弾性機構に導入される張力が、前記アクチュエータに対して前記第３の力を適用する、請求項２に記載の組立体。
【請求項５】
前記弾性機構が前記アクチュエータに接触し、その結果、前記非係合位置から前記係合位置までの前記アクチュエータの移動により前記弾性機構が曲げられ、曲げられることにより前記弾性機構に導入される張力が前記アクチュエータに対して前記第３の力を適用する、請求項２に記載の組立体。
【請求項６】
・前記バルブが、固有の弾性を有する材料を有し、固有の弾性を有する前記材料が、前記閉構成において、前記第１のチャンバと前記第２のチャンバとの間のバリアの少なくとも一部を形成し、
・前記第１の力が、前記開構成の前記チャンネルを作るような形で前記弾性材料を変形させ、
・前記第１の力が取り除かれると、前記材料の前記固有の弾性が前記バルブを前記閉構成へと自動で戻す、
請求項１から５までいずれか一項に記載の組立体。
【請求項７】
固有の弾性を有する前記材料が前記バリアの外側周囲部を形成し、
・前記閉構成において、固有の弾性を有する前記材料が、前記第１のチャンバの内部壁、前記第２のチャンバの内部壁、または、前記第１のチャンバおよび前記第２のチャンバを接続するアパーチャを画定するバルブ壁、に接触し、
・固有の弾性を有する前記材料の変形が、固有の弾性を有する前記材料と、前記第１のチャンバの前記内部壁、前記第２のチャンバの内部壁、または、前記バルブ壁、との間に前記チャンネルを作る
請求項６に記載の組立体。
【請求項８】
前記アクチュエータが、１つまたは複数の剛体部材および前記第１の弾性機構を備え、
・前記非係合位置から前記係合位置への前記アクチュエータの移動が前記１つまたは複数の剛体部材を、固有の弾性を有する前記材料の表面に接触させ、それにより前記バルブに対して前記第１の力を作用させ、
・前記第１の弾性機構が前記アクチュエータに対して前記第３の力を適用するように構成され、その結果、前記第２の力が取り除かれるときには前記第３の力が前記１つまたは複数の剛体部材を前記バルブから離すように移動させるようになり、それにより前記バルブから前記第１の力を取り除く、
請求項７に記載の組立体。
【請求項９】
前記１つまたは複数の剛体部材が、固有の弾性を有する前記材料の外側周囲部の周りに前記第１の力を作用させるように配列される、請求項８に記載の組立体。
【請求項１０】
前記第１の力が前記バルブの前記外側周囲部に作用される、請求項９に記載の組立体。
【請求項１１】
前記バルブがアンブレラバルブである、請求項６から１０までのいずれか一項に記載の組立体。
【請求項１２】
前記アクチュエータがプランジャを備え、前記アクチュエータが係合されることで前記プランジャが前記一定量の前記固定剤溶液を前記バルブの方に押し、それにより前記固定剤溶液が前記バルブに前記第１の力を作用させる、請求項６に記載の組立体。
【請求項１３】
前記バルブがチェックバルブまたはダックビルバルブである、請求項１２に記載の組立体。
【請求項１４】
・前記バルブが、
・前記第１のチャンバおよび前記第２のチャンバを接続するアパーチャを画定するバルブ壁と、
・シールであって、前記シールが、
・前記バルブが前記閉構成であるとき、前記シールが前記アパーチャの内部にあって前記バルブ壁に接触し、それにより前記第１のチャンバと前記第２のチャンバとの間に前記バリアを作るように、
・前記バルブに対しての前記第１の力の適用により前記シールが前記アパーチャの少なくとも部分的に外側で移動して前記チャンネルを作るように、および、
・前記第１の力が取り除かれるときに前記シールが前記閉構成に自動で戻るように、
構成される、シールと
を備える、
請求項１に記載の組立体。
【請求項１５】
前記組立体が、
・前記閉構成から前記開構成へと前記シールが切り替えられるときに前記シールに対して第４の力を作用させるように構成される第２の弾性機構であって、前記バルブから前記第１の力が取り除かれるときに前記第４の力が前記バルブを前記閉構成に戻す、第２の弾性機構
をさらに備える、請求項１４の組立体。
【請求項１６】
前記キャップが、前記固定剤溶液を前記バルブから離して隔離するような形で前記第１のチャンバ内に配設される脆いシールをさらに備え、前記非係合位置から前記係合位置への前記アクチュエータの移動が前記脆いシールを破損し、前記バルブに対して前記第１の力を適用する、請求項１から１５のいずれか一項に記載の組立体。
【請求項１７】
組織試料を保管、移送および／または固定するための方法であって、前記方法が、
請求項１から１６のいずれか一項に記載の、固定剤溶液に浸漬される生体試料を保管および移送するための組立体を得るステップと、
前記組立体の第１のチャンバ内に前記組織試料を配置するステップと、
前記組立体を組み立てるステップと、
バルブを開位置へと切り替えるためにアクチュエータを非係合位置から係合位置へと移動させるステップであって、それにより前記固定剤溶液が第２のチャンバから前記第１のチャンバへと流れることが可能となる、ステップと、
前記組織試料が前記固定剤溶液に完全に浸漬され、前記組立体の反転位置または水平位置での配置時に前記固定剤溶液に浸漬された状態を維持するようになるまで、前記アクチュエータを前記係合位置で維持するステップと、
前記アクチュエータを解放するステップであって、前記アクチュエータが前記非係合位置に自動で戻り、前記バルブが開構成から閉構成へと自動で切り替わる、ステップと
を含む、方法。